(57)【要約】      （修正有）【課題】過去の入試問題を用いて、志望校別、個人別の効果的な学習を進めることができる過去問情報処理装置を提供する。【解決手段】タイトル情報、履修する学年識別子、難易度識別子を有する過去問属性値群に対応する２以上の過去問情報を格納し、志望校識別子と志望校難易度識別子とを有する２以上の志望校情報を格納し、ユーザの現在のユーザ学年識別子、ユーザ志望校識別子を受け付ける生徒属性値群受付部１２１と、ユーザ学年識別子、ユーザ志望校識別子と対になる志望校難易度識別子を用いて、２以上の過去問情報を分類する過去問情報分類部１３３と、２以上の過去問情報のタイトル情報を有する画面であり、過去問情報分類部１３３が２以上の過去問情報に対して行った分類が視覚的に認識可能である態様の画面を構成する画面構成部１３５と、画面構成部１３５が構成した画面を出力する画面出力部１４１とを具備する。【選択図】図２
2017032921.tif 000002
【特許請求の範囲】
【請求項１】
過去の入試で出題された入試過去問の情報である過去問情報であり、問題のタイトルを示すタイトル情報、履修する学年を示す学年識別子、問題の難易度を示す難易度識別子を有する過去問属性値群に対応する２以上の過去問情報を格納し得る過去問情報格納部と、
志望校を示す志望校識別子と、当該志望校の難易度を示す志望校難易度識別子とを有する２以上の志望校情報を格納し得る志望校情報格納部と、
ユーザの現在の学年を示すユーザ学年識別子、および志望校を示すユーザ志望校識別子を有する生徒属性値群を受け付ける生徒属性値群受付部と、
前記生徒属性値群が有するユーザ学年識別子に対応する学年識別子、および前記生徒属性値群が有するユーザ志望校識別子と対になる志望校難易度識別子に対応する難易度識別子を用いて、前記過去問情報格納部の２以上の過去問情報を２以上に分類する過去問情報分類部と、
前記２以上の過去問情報のタイトル情報を有する画面であり、前記過去問情報分類部が前記２以上の過去問情報に対して行った分類が視覚的に認識可能である態様の画面を構成する画面構成部と、
前記画面構成部が構成した画面を出力する画面出力部とを具備する過去問情報処理装置。
【請求項２】
前記過去問情報分類部は、
前記生徒属性値群が有するユーザ学年識別子に対応する学年識別子、および前記生徒属性値群が有するユーザ志望校識別子と対になる志望校難易度識別子に対応する難易度識別子を用いて、取り組む問題の優先順位が分かる態様で、前記過去問情報格納部の２以上の過去問情報を、２以上に分類する請求項１記載の過去問情報処理装置。
【請求項３】
前記過去問情報分類部は、
前記ユーザ志望校識別子で識別される志望校に合格するために解答が必要な入試過去問、および前記志望校に合格するために解答が必要とは言えない入試過去問の、少なくとも２つのグループに前記過去問情報格納部の２以上の過去問情報を分類する請求項２記載の過去問情報処理装置。
【請求項４】
前記過去問属性値群は、問題の分野を示す分野識別子も有し、
前記生徒属性値群は、使用している教科書を識別する教科書識別子または通学している学校を示す通学学校識別子をも有し、
教科書識別子と、分野識別子と履修時期に関する履修時期情報とを有する２以上の分野情報とを有する１以上の教科書情報を格納し得る教科書情報格納部と、
現在の時期である現在時期情報を取得する現在時期情報取得部と、
前記過去問情報格納部の１以上の各過去問情報と対になる分野識別子と対になる履修時期情報を取得し、当該履修時期情報と前記現在時期情報とを用いて、前記１以上の各過去問情報を履修済みの分野の問題の情報であるか否かを判断する履修判断部とをさらに具備し、
前記画面構成部は、
前記履修判断部の判断結果をも視覚的に認識可能である態様の画面を構成する請求項１から請求項３いずれか一項に記載の過去問情報処理装置。
【請求項５】
１以上の過去問情報に対する解答の正誤を示す１以上の正誤情報を受け付ける正誤情報受付部をさらに具備し、
前記過去問情報分類部は、
前記正誤情報受付部が受け付けた１以上の正誤情報をも用いて、前記過去問情報格納部の２以上の過去問情報を２以上に分類する請求項１から請求項４いずれか一項に記載の過去問情報処理装置。
【請求項６】
前記過去問情報格納部の１以上の各過去問情報に対応付けて、当該過去問情報に対応する入試過去問を正解するために必要な学習を行う映像である１以上の講義映像を格納し得る講義映像格納部をさらに具備し、
前記画面構成部は、
前記２以上の過去問情報のうちの、１以上の各過去問情報に対応付けて、講義映像へのリンクを示すリンク情報を有する画面を構成する請求項１から請求項５いずれか一項に記載の過去問情報処理装置。
【請求項７】
前記講義映像格納部は、
一の過去問情報に対応付けて、異なるレベルを識別するレベル識別子に対応する２以上の講義映像を格納し得、
前記画面構成部は、
講義映像に対応するレベル識別子を用いて、講義映像へのリンクを示すリンク情報を有する画面を構成する請求項６記載の過去問情報処理装置。
【請求項８】
前記生徒属性値群は、生徒が１日に勉強できる時間である勉強時間情報を含み、
前記過去問情報格納部の１以上の各過去問情報に対応付けて、当該過去問情報に対応する入試過去問を正解するために必要な学習を行う映像である１以上の講義映像を格納し得る講義映像格納部をさらに具備し、
前記過去問情報分類部における分類結果、および前記勉強時間情報を用いて、当該勉強時間情報が示す時間内で出力可能であり、志望校の合格のために必要な問題に対応する１以上の講義映像を決定する講義映像決定部と、
前記講義映像決定部が決定した１以上の講義映像に関する情報である講義映像関連情報を出力する講義映像関連情報出力部とをさらに具備する請求項１から請求項７いずれか一項に記載の過去問情報処理装置。
【請求項９】
前記生徒属性値群は、予習型または復習型である学習スタイル情報を含み、
前記過去問情報分類部は、
前記過去問情報格納部の２以上の過去問情報を、前記学習スタイル情報に応じて異なる分類を行う請求項１から請求項８いずれか一項に記載の過去問情報処理装置。
【請求項１０】
前記生徒属性値群は、教科の得手または不得手を示す得手情報を含み、
前記過去問情報分類部は、
前記過去問情報格納部の２以上の過去問情報を、前記得手情報に応じて異なる分類を行う請求項１から請求項９いずれか一項に記載の過去問情報処理装置。
【請求項１１】
記録媒体は、
過去の入試で出題された入試過去問の情報である過去問情報であり、問題のタイトルを示すタイトル情報、履修する学年を示す学年識別子、問題の難易度を示す難易度識別子を有する過去問属性値群に対応する２以上の過去問情報を格納し得る過去問情報格納部と、
志望校を示す志望校識別子と、当該志望校の難易度を示す志望校難易度識別子とを有する２以上の志望校情報を格納し得る志望校情報格納部とを具備し、
生徒属性値群受付部、過去問情報分類部、画面構成部、および画面出力部により実現される過去問情報処理方法であって、
前記生徒属性値群受付部が、ユーザの現在の学年を示すユーザ学年識別子、および志望校を示すユーザ志望校識別子を有する生徒属性値群を受け付ける生徒属性値群受付ステップと、
前記過去問情報分類部が、前記生徒属性値群が有するユーザ学年識別子に対応する学年識別子、および前記生徒属性値群が有するユーザ志望校識別子と対になる志望校難易度識別子に対応する難易度識別子を用いて、前記過去問情報格納部の２以上の過去問情報を、２以上に分類する過去問情報分類ステップと、
前記画面構成部が、前記２以上の過去問情報のタイトル情報を有する画面であり、前記過去問情報分類ステップで前記２以上の過去問情報に対して行われた分類が視覚的に認識可能である態様の画面を構成する画面構成ステップと、
前記画面出力部が、前記画面構成ステップで構成された画面を出力する画面出力ステップとを具備する過去問情報処理方法。
【請求項１２】
コンピュータアクセス可能な記録媒体は、
過去の入試で出題された入試過去問の情報である過去問情報であり、問題のタイトルを示すタイトル情報、履修する学年を示す学年識別子、問題の難易度を示す難易度識別子を有する過去問属性値群に対応する２以上の過去問情報を格納し得る過去問情報格納部と、
志望校を示す志望校識別子と、当該志望校の難易度を示す志望校難易度識別子とを有する２以上の志望校情報を格納し得る志望校情報格納部とを具備し、
コンピュータを、
ユーザの現在の学年を示すユーザ学年識別子、および志望校を示すユーザ志望校識別子を有する生徒属性値群を受け付ける生徒属性値群受付部と、
前記生徒属性値群が有するユーザ学年識別子に対応する学年識別子、および前記生徒属性値群が有するユーザ志望校識別子と対になる志望校難易度識別子に対応する難易度識別子を用いて、前記過去問情報格納部の２以上の過去問情報を、２以上に分類する過去問情報分類部と、
前記２以上の過去問情報のタイトル情報を有する画面であり、前記過去問情報分類部が前記２以上の過去問情報に対して行った分類が視覚的に認識可能である態様の画面を構成する画面構成部と、
前記画面構成部が構成した画面を出力する画面出力部として機能させるためのプログラム。
【発明の詳細な説明】
【技術分野】
【０００１】
本発明は、入試の過去の問題の情報を用いて、効果的な学習を進めることを支援する過去問情報処理装置等に関するものである。
【背景技術】
【０００２】
従来技術において、記録される講義を、教材の重要度及び／又は生徒のニーズに基づき補強するシステム及び方法があった。ここで、講義教材の各セグメントの重要度は、少なくとも一部は以前の試験からの問題に基づき、生徒のニーズは、少なくとも一部は、以前の試験におけるこの生徒の成績に基づく（例えば、特許文献１参照）。
【先行技術文献】
【特許文献】
【０００３】
【特許文献１】特表２００８−５３５０１７号公報（第１頁、第１図等）
【発明の概要】
【発明が解決しようとする課題】
【０００４】
しかしながら、従来技術においては、生徒の志望校や学年を含む生徒属性値群と、難易度識別子や履修学年を含む問題の過去問属性値群とを考慮して、過去の入試問題を分類することにより、志望校別、個人別の効果的な学習を進めることが困難であった。
【課題を解決するための手段】
【０００５】
本第一の発明の過去問情報処理装置は、過去の入試で出題された入試過去問の情報である過去問情報であり、問題のタイトルを示すタイトル情報、履修する学年を示す学年識別子、問題の難易度を示す難易度識別子を有する過去問属性値群に対応する２以上の過去問情報を格納し得る過去問情報格納部と、志望校を示す志望校識別子と、志望校の難易度を示す志望校難易度識別子とを有する２以上の志望校情報を格納し得る志望校情報格納部と、ユーザの現在の学年を示すユーザ学年識別子、および志望校を示すユーザ志望校識別子を有する生徒属性値群を受け付ける生徒属性値群受付部と、生徒属性値群が有するユーザ学年識別子に対応する学年識別子、および生徒属性値群が有するユーザ志望校識別子と対になる志望校難易度識別子に対応する難易度識別子を用いて、過去問情報格納部の２以上の過去問情報を２以上に分類する過去問情報分類部と、２以上の過去問情報のタイトル情報を有する画面であり、過去問情報分類部が２以上の過去問情報に対して行った分類が視覚的に認識可能である態様の画面を構成する画面構成部と、画面構成部が構成した画面を出力する画面出力部とを具備する過去問情報処理装置である。
【０００６】
かかる構成により、過去の入試問題を用いて、志望校別、個人別の効果的な学習を進めることができる。
【０００７】
また、本第二の発明の過去問情報処理装置は、第一の発明に対して、過去問情報分類部は、生徒属性値群が有するユーザ学年識別子に対応する学年識別子、および生徒属性値群が有するユーザ志望校識別子と対になる志望校難易度識別子に対応する難易度識別子を用いて、取り組む問題の優先順位が分かる態様で、過去問情報格納部の２以上の過去問情報を、２以上に分類する過去問情報処理装置である。
【０００８】
かかる構成により、過去の入試問題を用いて、志望校別、個人別の効果的な学習を進めることができる。
【０００９】
また、本第三の発明の過去問情報処理装置は、第二の発明に対して、過去問情報分類部は、ユーザ志望校識別子で識別される志望校に合格するために解答が必要な入試過去問、および志望校に合格するために解答が必要とは言えない入試過去問の、少なくとも２つのグループに過去問情報格納部の２以上の過去問情報を分類する過去問情報処理装置である。
【００１０】
かかる構成により、過去の入試問題を用いて、志望校別、個人別の効果的な学習を進めることができる。
【００１１】
また、本第四の発明の過去問情報処理装置は、第一から第三いずれか１つの発明に対して、過去問属性値群は、問題の分野を示す分野識別子も有し、生徒属性値群は、使用している教科書を識別する教科書識別子または通学している学校を示す通学学校識別子をも有し、教科書識別子と、分野識別子と履修時期に関する履修時期情報とを有する２以上の分野情報とを有する１以上の教科書情報を格納し得る教科書情報格納部と、現在の時期である現在時期情報を取得する現在時期情報取得部と、過去問情報格納部の１以上の各過去問情報と対になる分野識別子と対になる履修時期情報を取得し、履修時期情報と現在時期情報とを用いて、１以上の各過去問情報を履修済みの分野の問題の情報であるか否かを判断する履修判断部とをさらに具備し、画面構成部は、履修判断部の判断結果をも視覚的に認識可能である態様の画面を構成する過去問情報処理装置である。
【００１２】
かかる構成により、過去の入試問題を用いて、現在の時期（例えば、夏休み、冬休み等）に適合した、志望校別、個人別の効果的な学習を進めることができる。
【００１３】
また、本第五の発明の過去問情報処理装置は、第一から第四いずれか１つの発明に対して、１以上の過去問情報に対する解答の正誤を示す１以上の正誤情報を受け付ける正誤情報受付部をさらに具備し、過去問情報分類部は、正誤情報受付部が受け付けた１以上の正誤情報をも用いて、過去問情報格納部の２以上の過去問情報を２以上に分類する過去問情報処理装置である。
【００１４】
かかる構成により、過去の入試問題を用いて、生徒の入試過去問題の正誤結果に適合した、志望校別、個人別の効果的な学習を進めることができる。
【００１５】
また、本第六の発明の過去問情報処理装置は、第一から第五いずれか１つの発明に対して、過去問情報格納部の１以上の各過去問情報に対応付けて、過去問情報に対応する入試過去問を正解するために必要な学習を行う映像である１以上の講義映像を格納し得る講義映像格納部をさらに具備し、画面構成部は、２以上の過去問情報のうちの、１以上の各過去問情報に対応付けて、講義映像へのリンクを示すリンク情報を有する画面を構成する過去問情報処理装置である。
【００１６】
かかる構成により、過去の入試問題および講義映像を用いて、志望校別、個人別の効果的な学習を進めることができる。
【００１７】
また、本第七の発明の過去問情報処理装置は、第六の発明に対して、講義映像格納部は、一の過去問情報に対応付けて、異なるレベルを識別するレベル識別子に対応する２以上の講義映像を格納し得、画面構成部は、講義映像に対応するレベル識別子を用いて、講義映像へのリンクを示すリンク情報を有する画面を構成する過去問情報処理装置である。
【００１８】
かかる構成により、過去の入試問題およびレベル別の講義映像を用いて、志望校別、個人別の効果的な学習を進めることができる。
【００１９】
また、本第八の発明の過去問情報処理装置は、第一から第七いずれか１つの発明に対して、生徒属性値群は、生徒が１日に勉強できる時間である勉強時間情報を含み、過去問情報格納部の１以上の各過去問情報に対応付けて、過去問情報に対応する入試過去問を正解するために必要な学習を行う映像である１以上の講義映像を格納し得る講義映像格納部をさらに具備し、過去問情報分類部における分類結果、および勉強時間情報を用いて、勉強時間情報が示す時間内で出力可能であり、志望校の合格のために必要な問題に対応する１以上の講義映像を決定する講義映像決定部と、講義映像決定部が決定した１以上の講義映像に関する情報である講義映像関連情報を出力する講義映像関連情報出力部とをさらに具備する過去問情報処理装置である。
【００２０】
かかる構成により、過去の入試問題を用いて、生徒の日々の勉強時間に適合した、志望校別、個人別の効果的な学習を進めることができる。
【００２１】
また、本第九の発明の過去問情報処理装置は、第一から第八いずれか１つの発明に対して、生徒属性値群は、予習型または復習型である学習スタイル情報を含み、過去問情報分類部は、過去問情報格納部の２以上の過去問情報を、学習スタイル情報に応じて異なる分類を行う過去問情報処理装置である。
【００２２】
かかる構成により、過去の入試問題を用いて、生徒の学習スタイルに適合した、志望校別、個人別の効果的な学習を進めることができる。
【００２３】
また、本第十の発明の過去問情報処理装置は、第一から第七いずれか１つの発明に対して、生徒属性値群は、教科の得手または不得手を示す得手情報を含み、過去問情報分類部は、過去問情報格納部の２以上の過去問情報を、得手情報に応じて異なる分類を行う過去問情報処理装置である。
【００２４】
かかる構成により、過去の入試問題を用いて、生徒の教科に対する得意・不得意の意識に適合した、志望校別、個人別の効果的な学習を進めることができる。
【発明の効果】
【００２５】
本発明による過去問情報処理装置によれば、過去の入試問題を用いて、志望校別、個人別の効果的な学習を進めることができる。
【図面の簡単な説明】
【００２６】
【図１】実施の形態１における過去問情報処理システムの概念図
【図２】同過去問情報処理システムのブロック図
【図３】同過去問情報処理装置１の動作について説明するフローチャート
【図４】同分類処理について説明するフローチャート
【図５】同クラス決定処理について説明するフローチャート
【図６】同クラス決定処理について説明するフローチャート
【図７】同履修判断処理について説明するフローチャート
【図８】同画面構成処理について説明するフローチャート
【図９】同講義映像決定処理について説明するフローチャート
【図１０】同過去問情報管理表を示す図
【図１１】同志望校情報管理表を示す図
【図１２】同教科書情報管理表を示す図
【図１３】同講義映像管理表を示す図
【図１４】同講義映像情報管理表を示す図
【図１５】同生徒情報管理表を示す図
【図１６】同学校情報管理表を示す図
【図１７】同クラス決定制御表を示す図
【図１８】同問題選択画面の出力例を示す図
【図１９】同問題選択画面の出力例を示す図
【図２０】同問題選択画面の出力例を示す図
【図２１】同問題選択画面の出力例を示す図
【図２２】同問題選択画面の出力例を示す図
【図２３】同講義映像選択画面の出力例を示す図
【図２４】同コンピュータシステムの概観図
【図２５】同コンピュータシステムのブロック図
【発明を実施するための形態】
【００２７】
以下、過去問情報処理装置等の実施形態について図面を参照して説明する。なお、実施の形態において同じ符号を付した構成要素は同様の動作を行うので、再度の説明を省略する場合がある。
【００２８】
（実施の形態１）
本実施の形態において、過去問属性値群と生徒属性値群とを用いて、入試の過去問を分類し、当該分類が分かる態様でタイトルを有する画面を生成し、出力する過去問情報処理装置を有する過去問情報処理システムについて説明する。なお、例えば、入試過去問題の属性値の集合である過去問属性値群として、例えば、タイトル、科目、項目、学年、難易度等の情報を有する。そして、例えば、生徒の属性値の集合である生徒属性値群として、例えば、志望校、学年の情報を有する。
【００２９】
また、本実施の形態において、取り組む問題の優先順位が分かる態様で過去問情報を分類し、出力する過去問情報処理装置を有する過去問情報処理システムについて説明する。なお、取り組む問題の優先順位が分かる態様とは、例えば、志望校に合格するために解答（正解と言っても良い。）が必要な入試過去問、および志望校に合格するために解答が必要とは言えない入試過去問の、少なくとも２つのグループに過去問情報が分類されている態様である。
【００３０】
また、本実施の形態において、現在、通学している学校を識別する通学学校識別子または使用している教科書を識別する使用教科書識別子を受け付け、該当教科書に対応して、現在時期で履修済みの項目を取得し、履修済みの項目の問題と未履修の項目の問題とを分類する過去問情報処理装置を有する過去問情報処理システムについて説明する。
【００３１】
また、本実施の形態において、生徒の過去問に対する正誤を受け付け、正誤をも用いて、過去問を分類する過去問情報処理装置を有する過去問情報処理システムについて説明する。
【００３２】
また、本実施の形態において、過去問に対応して、１または２以上講義映像へのリンクを有する画面を構成し、出力する過去問情報処理装置を有する過去問情報処理システムについて説明する。なお、講義映像はレベル別に２以上有しても良い。
【００３３】
また、本実施の形態において、生徒属性値群は、１日に勉強できる時間を含み、勉強可能時間に応じて、その日に見るべき講義映像を提示する過去問情報処理装置を有する過去問情報処理システムについて説明する。
【００３４】
さらに、本実施の形態において、生徒属性値群として、予習型／復習型といった学習スタイル情報、教科の得手／不得手といった得手情報を含み、当該情報をも用いて、過去問を分類する過去問情報処理装置を有する過去問情報処理システムについて説明する。
【００３５】
図１は、本実施の形態における過去問情報処理システムの概念図である。過去問情報処理装置１は、通常、サーバ装置であり、いわゆるクラウドサーバでも良く、その種類は問わない。端末装置２は、例えば、いわゆるパーソナルコンピュータ、タブレット端末、スマートフォン等であり、その種類は問わない。
【００３６】
図２は、本実施の形態における過去問情報処理システムのブロック図である。
【００３７】
過去問情報処理システムは、過去問情報処理装置１、および１または２以上の端末装置２を備える。
【００３８】
過去問情報処理装置１は、格納部１１、受付部１２、処理部１３、および出力部１４を備える。
【００３９】
格納部１１は、過去問情報格納部１１１、志望校情報格納部１１２、教科書情報格納部１１３、講義映像格納部１１４、生徒情報格納部１１５、および学校情報格納部１１６を備える。
【００４０】
受付部１２は、生徒属性値群受付部１２１、および正誤情報受付部１２２を備える。
【００４１】
処理部１３は、現在時期情報取得部１３１、履修判断部１３２、過去問情報分類部１３３、講義映像決定部１３４、および画面構成部１３５を備える。
【００４２】
出力部１４は、画面出力部１４１、および講義映像関連情報出力部１４２を備える。
【００４３】
端末装置２は、端末格納部２１、端末受付部２２、端末処理部２３、端末送信部２４、端末受信部２５、および端末出力部２６を備える。
【００４４】
過去問情報処理装置１を構成する格納部１１は、各種の情報を格納し得る。各種の情報とは、例えば、後述する過去問情報、志望校情報、教科書情報、講義映像、生徒情報などである。
【００４５】
過去問情報格納部１１１は、２以上の過去問情報を格納し得る。過去問情報は、過去の入試で出題された入試過去問の情報である。過去問情報は、過去問属性値群に対応付いている。過去問属性値群は、１以上の過去問属性値である。
【００４６】
過去問属性値とは、過去問情報の属性値である。過去問属性値は、例えば、問題のタイトルを示すタイトル情報、履修する学年を示す学年識別子、問題の難易度を示す難易度識別子、科目を示す科目識別子、問題の分野を示す分野識別子、試験を識別する試験識別子等である。タイトル情報は、通常、問題の概略を示す情報であるが、問題の分野を示す分野識別子でも良い。タイトル情報が問題の分野を示す情報である場合、過去問属性値群は、分野情報を有さなくても良い。また、分野識別子とタイトル情報とを合わせて、問題の分野を識別する情報としても良い。学年識別子は、例えば、「中学１年」「中学２年」「中学３年」である。また、難易度識別子とは、正答率でも良いし、ｎ段階（ｎは２以上の自然数）のレベルを示す情報等でも良い。試験識別子は、「大阪府公立高校平成２６年度数学試験問題」「ＡＢＣ高校平成２４年度国語」などである。
【００４７】
また、２以上の過去問情報は、通常、一のテストに含まれるすべての過去問の情報である。つまり、２以上の過去問情報は、例えば、大阪府公立高校平成２６年度数学試験問題などである。ただし、過去問情報格納部１１１は、２以上のテストに含まれる過去問の情報を格納していることは好適である。
【００４８】
志望校情報格納部１１２は、入学対象となり得る学校に関する２以上の志望校情報を格納し得る。志望校情報は、学校を示す志望校識別子と、学校の難易度を示す志望校難易度識別子とを有する。志望校難易度識別子は、学校に入学するために必要な試験の得点でも良いし、学校のレベルを示す情報等でも良い。学校のレベルを示す情報は、例えば、ｎ段階（ｎは２以上の自然数）のうちの一の値を取り得る。なお、志望校となり得る学校は、高校でも良いし、中学でも良いし、大学でも良いし、小学校等でも良く、問わない。
【００４９】
教科書情報格納部１１３は、教科書に関する１以上の教科書情報を格納し得る。教科書情報は、教科書を識別する教科書識別子と２以上の分野情報を有する。分野情報は、教科書内で記載されている分野に関する情報であり、分野を識別する分野識別子、当該分野を学習する履修時期に関する履修時期情報を有する。履修時期情報は、学期を識別する学期識別子でも良いし、月を識別する月識別子等でも良い。なお、分野識別子は、２以上の階層化された情報を有しても良い。
【００５０】
講義映像格納部１１４は、過去問情報格納部１１１の１以上の各過去問情報に対応付けて、１または２以上の講義映像を格納し得る。講義映像は、過去問情報に対応する入試過去問を正解するために必要な学習を行う映像である。講義映像は、再生時間に対応付いていて良いし、講義映像から再生時間を取得できる構成でも良い。
【００５１】
講義映像格納部１１４は、一の過去問情報に対応付けて、異なるレベルを識別するレベル識別子に対応する２以上の講義映像を格納していることは好適である。
【００５２】
生徒情報格納部１１５は、生徒に関する情報である１または２以上の生徒情報を格納し得る。生徒情報は、生徒を識別するユーザ識別子、生徒属性値群を有する。生徒属性値群は、通常、生徒の現在の学年を示すユーザ学年識別子、および志望校を示すユーザ志望校識別子を有する。生徒属性値群は、その他の生徒に関する情報を有しても良い。その他の生徒に関する情報とは、例えば、使用している教科書を識別する教科書識別子、通学している学校を示す通学学校識別子、過去問に対する解答の正誤を示す１以上の正誤情報、生徒が１日に勉強できる時間である勉強時間情報、予習型または復習型等の学習のスタイルを示す学習スタイル情報、教科の得手または不得手を示す得手情報などである。
【００５３】
学校情報格納部１１６は、１以上の学校情報を格納し得る。学校情報は、通学学校識別子と対応付けて１以上の教科書識別子を有する。１以上の各教科書識別子は、通常、科目識別子と対応づいている。教科書識別子は、その学校で使用している教科書を識別する情報である。
【００５４】
受付部１２は、各種の情報を受け付ける。ここで、受け付けとは、通常、端末装置２からの受信である。ただし、受け付けとは、有線もしくは無線の通信回線を介して送信された情報の受信だけではなく、キーボードやマウス、タッチパネルなどの入力デバイスから入力された情報の受け付け、光ディスクや磁気ディスク、半導体メモリなどの記録媒体から読み出された情報の受け付けなどを含む概念である。
【００５５】
なお、上記の各種の情報とは、例えば、生徒属性値群、正誤情報、各種の画面出力指示などである。各種の画面出力指示は、例えば、問題選択画面の出力指示、講義映像選択画面の出力指示等である。
【００５６】
生徒属性値群受付部１２１は、ユーザの現在の学年を示すユーザ学年識別子、および志望校を示すユーザ志望校識別子を有する生徒属性値群を受け付ける。生徒属性値群は、教科書識別子、通学学校識別子、勉強時間情報、学習スタイル情報、得手情報などを含んでも良い。
【００５７】
正誤情報受付部１２２は、１以上の過去問情報に対する解答の正誤を示す１以上の正誤情報を受け付ける。正誤情報受付部１２２は、過去問情報を識別する過去問情報識別子と正誤情報の組である１以上の過去問正誤情報を受け付けることは好適である。
【００５８】
処理部１３は、各種の処理を行う。各種の処理とは、例えば、現在時期情報取得部１３１、履修判断部１３２、過去問情報分類部１３３、講義映像決定部１３４、画面構成部１３５等が行う処理である。
【００５９】
現在時期情報取得部１３１は、現在の時期である現在時期情報を取得する。現在時期情報は、日時でも良いし、日でも良いし、月でも良いし、学期でも良い。現在時期情報取得部１３１は、例えば、図示しない時計、外部のサーバ装置等から、現在時期情報を取得する。
【００６０】
現在時期情報取得部１３１は、例えば、図示しない時計、外部のサーバ装置等から、日付を取得し、当該日付に対応する現在時期情報を取得しても良い。なお、かかる場合、格納部１１は、日付の期間を示す情報と、現在時期情報との組の情報を２以上、格納している。そして、現在時期情報取得部１３１は、取得した日付に対応する現在時期情報を格納部１１から取得する。
【００６１】
履修判断部１３２は、過去問情報格納部１１１の１以上の各過去問情報と対になる分野識別子と対になる履修時期情報を取得し、履修時期情報と現在時期情報とを用いて、１以上の各過去問情報を履修済みの分野の問題の情報であるか否かを判断する。
【００６２】
履修判断部１３２は、例えば、過去問情報格納部１１１の過去問情報と対になる分野識別子を過去問情報格納部１１１から取得する。そして、履修判断部１３２は、ユーザの学年識別子と教科書識別子とを生徒情報格納部１１５から取得する。そして、履修判断部１３２は、例えば、教科書識別子および分野識別子と対になる履修時期情報を教科書情報格納部１１３から取得する。次に、履修判断部１３２は、例えば、履修時期情報とユーザの学年識別子と現在時期情報とを用いて、当該過去問情報に対応する分野が、当該ユーザは履修済みか否かを判断する。
【００６３】
過去問情報分類部１３３は、生徒属性値群が有するユーザ学年識別子に対応する学年識別子、および生徒属性値群が有するユーザ志望校識別子と対になる志望校難易度識別子に対応する難易度識別子を用いて、過去問情報格納部１１１の２以上の過去問情報を２以上に分類する。２以上に分類する処理は、過去問情報に分類したクラスを識別するフラグを付与する処理、過去問情報を分類したクラスに対応する記憶領域に過去問情報を記録する処理等である。２以上に分類する処理は、過去問情報に対応するクラスが分かれば良く、その処理内容は問わない。なお、クラスとは、過去問情報の分類を示す情報である、フラグは、文字列でも良いし、数値等でも良く、そのデータタイプは問わない。
【００６４】
過去問情報分類部１３３は、生徒属性値群が有するユーザ学年識別子に対応する学年識別子、および生徒属性値群が有するユーザ志望校識別子と対になる志望校難易度識別子に対応する難易度識別子を用いて、取り組む問題の優先順位が分かる態様で、過去問情報格納部１１１の２以上の過去問情報を、２以上に分類する。
【００６５】
過去問情報分類部１３３は、ユーザ志望校識別子で識別される志望校に合格するために解答が必要な入試過去問、および志望校に合格するために解答が必要とは言えない入試過去問の、少なくとも２つのグループに過去問情報格納部１１１の２以上の過去問情報を分類する。なお、解答が必要な入試過去問とは、正解する必要がある入試過去問である。また、解答が必要とは言えない入試過去問とは、合格のために、間違っても問題ない入試過去問である。
【００６６】
過去問情報分類部１３３は、正誤情報受付部１２２が受け付けた１以上の正誤情報をも用いて、過去問情報格納部１１１の２以上の過去問情報を２以上に分類する。過去問情報分類部１３３は、例えば、正誤情報が「誤」に対応する過去問情報と対になる分野識別子と同じ分野識別子と対になる他の過去問情報を、優先度の高い問題のクラスに分類し、正誤情報が「正」に対応する過去問情報と対になる分野識別子と同じ分野識別子と対になる他の過去問情報を、優先度の低い問題のクラスに分類する。また、過去問情報分類部１３３は、例えば、正誤情報が「誤」に対応する過去問情報であり、難易度識別子が最も容易な難易度を示す情報である過去問情報は、「最優先」のクラスに分類する。一方、過去問情報分類部１３３は、例えば、正誤情報が「正」に対応する過去問情報であり、難易度識別子が最も容易な難易度を示す情報である過去問情報は、「できて当たり前」のクラスに分類する。
【００６７】
過去問情報分類部１３３は、例えば、過去問情報の志望校適応度を取得し、当該志望校適応度を用いて、過去問情報をクラスに分類する。志望校適応度は問題の志望校に対する適応度合いである。例えば、志望校適応度「２」は、志望校に合格するために正解しなければならないレベルの問題であることを示す。例えば、志望校適応度「１」は、志望校に合格するために正解が必要であり、正誤が合否の分かれ目となるレベルの問題であることを示す。例えば、志望校適応度「０」は、志望校に合格するために必ずしも正解する必要がない問題であることを示す。
【００６８】
過去問情報分類部１３３は、過去問情報格納部１１１の２以上の過去問情報を、学習スタイル情報に応じて異なる分類を行う。過去問情報分類部１３３は、例えば、生徒属性値の学習スタイル情報が「予習型」である場合、未履修を示す分野識別子に対応する過去問情報の中で、難易度識別子が「容易」に対応する過去問情報を、優先度の高い問題のクラスに分類する。そして、過去問情報分類部１３３は、例えば、学習スタイル情報が「復習型」である場合、未履修を示す分野識別子に対応するすべての過去問情報は、学習しない問題のクラスに分類する。また、過去問情報分類部１３３は、例えば、学習スタイル情報に関わらず、履修判断部１３２が未履修であると判断した分野の入試過去問であり、次に習う分野の入試過去問であり、難易度識別子が示す難易度が最も容易な難易度の入試過去問を予習すべき問題のクラスに分類する。一方、過去問情報分類部１３３は、例えば、学習スタイル情報が「予習型」である場合、履修判断部１３２が未履修であると判断した分野であり、次に習う分野の入試過去問であれば、難易度識別子に関わらず、予習すべき問題のクラスに分類する。
【００６９】
過去問情報分類部１３３は、過去問情報格納部１１１の２以上の過去問情報を、得手情報に応じて異なる分類を行う。過去問情報分類部１３３は、例えば、得手情報が「不得手」である場合、志望校識別子に対応する志望校難易度識別子より下の難易度の過去問情報を取得し、「優先すべきクラス」に分類する。一方、過去問情報分類部１３３は、例えば、得手情報が「得手」である場合、志望校識別子に対応する志望校難易度識別子と同じまたはそれ以上の難易度の過去問情報を取得し、「優先すべきクラス」に分類する。
【００７０】
なお、上記における「ユーザ学年識別子に対応する学年識別子」とは、ユーザ学年識別子より下の学年の識別子でも良いし、ユーザ学年識別子が示す学年以下の学年の識別子でも良いし、ユーザ学年識別子が示す学年と同じ学年の識別子でも良い。
【００７１】
また、上記における「志望校難易度識別子に対応する難易度識別子」とは、志望校難易度識別子が示す難易度以下の難易度の識別子でも良いし、志望校難易度識別子が示す得点になるまでの、容易な順に累積した難易度識別子でも良いし、志望校難易度識別子が示す難易度と同じ難易度の識別子でも良い。
【００７２】
また、上記の分類とは、例えば、２以上の過去問情報を、合格のために解答することが必要な順に、クラス分けすることである。なお、合格のために解答することが必要な順とは、ここでは、合格対策順ともいう。
【００７３】
また、上記の「取り組む問題の優先順位が分かる態様」とは、例えば、志望校に合格するために解答が必要な入試過去問、および志望校に合格するために解答が必要とは言えない入試過去問の、少なくとも２つのクラスが入試過去問の中に存在することが視覚的に判断可能である状況である。
【００７４】
講義映像決定部１３４は、過去問情報分類部１３３における分類結果、および勉強時間情報を用いて、勉強時間情報が示す時間内で出力可能であり、志望校の合格のために必要な問題に対応する１以上の講義映像を決定する。
【００７５】
講義映像決定部１３４は、通常、過去問情報分類部１３３における分類結果を用いて、学習することの優先度が高い順に講義映像を選択し、かつ１以上の講義映像の再生時間の累積が勉強時間情報の示す時間以内になるように１以上の講義映像を選択する。
【００７６】
画面構成部１３５は、２以上の過去問情報のタイトル情報を有する画面であり、過去問情報分類部１３３が２以上の過去問情報に対して行った分類が視覚的に認識可能である態様の画面を構成する。なお、タイトル情報は、単元を示す情報でも良いし、分野を示す情報でも良い。
【００７７】
画面構成部１３５は、履修判断部１３２の判断結果をも視覚的に認識可能である態様の画面を構成する。なお、履修判断部１３２の判断結果が、過去問情報の分類に利用されていても良いことは言うまでもない。
【００７８】
画面構成部１３５は、２以上の過去問情報のうちの、１以上の各過去問情報に対応付けて、講義映像へのリンクを示すリンク情報を有する画面を構成する。
【００７９】
画面構成部１３５は、講義映像に対応するレベル識別子を用いて、講義映像へのリンクを示すリンク情報を有する画面を構成する。
【００８０】
なお、上記における画面とは、通常、問題を出力可能な画面である。また、画面は、講義映像が出力可能な画面であることは好適である。画面を構成することは、通常、画面情報を取得することである。また、画面は、志望校および個人に適した講義映像のみへのリンクを有する画面でも良いし、レベルが明示された態様で、２以上のリンク情報を有する画面でも良い。
【００８１】
出力部１４は、各種の情報を出力する。各種の情報とは、例えば、画面、講義映像関連情報、過去問情報、講義映像などである。
【００８２】
ここでの出力とは、通常、端末装置２への送信である。ただし、出力とは、ディスプレイへの表示、プロジェクターを用いた投影、プリンタでの印字、音出力、外部の装置への送信、記録媒体への蓄積、他の処理装置や他のプログラムなどへの処理結果の引渡しなどを含む概念である。
【００８３】
画面出力部１４１は、画面構成部１３５が構成した画面を出力する。画面の出力とは、画面の送信でも良いし、画面情報の送信でも良い。画面情報は、ＨＴＭＬ、ＸＭＬ、ビットマップ、４ＧＬ等のプログラム等、その実現手段は問わない。
【００８４】
講義映像関連情報出力部１４２は、講義映像決定部１３４が決定した１以上の講義映像に関する情報である講義映像関連情報を出力する。講義映像関連情報は、例えば、講義映像のサムネイル、講義映像を識別するタイトル、１または２以上の講義映像のサムネイル等を含む画面情報等である。
【００８５】
端末装置２を構成する端末格納部２１は、各種の情報を格納し得る。各種の情報とは、例えば、ユーザ識別子である。ユーザ識別子とは、端末装置２のユーザを識別する情報、または端末装置２を識別する情報である。なお、ユーザは、通常、問題を解いたり、講義映像を見たりする生徒である。
【００８６】
端末受付部２２は、指示や情報等を受け付ける。指示や情報等とは、上述した生徒属性値群、正誤情報などである。指示や情報等とは、例えば、画面を出力する指示である画面出力指示である。ここでの画面は、通常、学習する入試過去問を選択する問題選択画面である。また、画面は、学習する講義映像を選択する講義映像選択画面でも良い。
【００８７】
指示や情報等の入力手段は、キーボードやマウスやメニュー画面によるもの等、何でも良い。端末受付部２２は、キーボード等の入力手段のデバイスドライバーや、メニュー画面の制御ソフトウェア等で実現され得る。
【００８８】
端末処理部２３は、各種の処理を行う。各種の処理は、例えば、端末受付部２２が受け付けた指示や情報等を、送信するデータ構造にすることである。各種の処理は、例えば、端末受付部２２が受け付けた指示や情報等に、ユーザ識別子を付与して、送信するデータ構造にすることである。
【００８９】
端末送信部２４は、各種の指示や情報等を過去問情報処理装置１に送信する。各種の指示や情報等は、例えば、画面出力指示、生徒属性値群、正誤情報などである。
【００９０】
端末受信部２５は、過去問情報処理装置１から各種の情報を受信する。各種の情報は、出力する画面または画面情報、入試過去問情報、講義映像等である。
【００９１】
端末出力部２６は、端末受信部２５が受信した情報を出力する。ここで、出力とは、ディスプレイへの表示、プロジェクターを用いた投影、プリンタでの印字、音出力、外部の装置への送信、記録媒体への蓄積、他の処理装置や他のプログラムなどへの処理結果の引渡しなどを含む概念である。
【００９２】
格納部１１、過去問情報格納部１１１、志望校情報格納部１１２、教科書情報格納部１１３、講義映像格納部１１４、生徒情報格納部１１５、学校情報格納部１１６、および端末格納部２１は、不揮発性の記録媒体が好適であるが、揮発性の記録媒体でも実現可能である。
【００９３】
格納部１１等に情報が記憶される過程は問わない。例えば、記録媒体を介して情報が格納部１１等で記憶されるようになってもよく、通信回線等を介して送信された情報が格納部１１等で記憶されるようになってもよく、あるいは、入力デバイスを介して入力された情報が格納部１１等で記憶されるようになってもよい。
【００９４】
受付部１２、生徒属性値群受付部１２１、正誤情報受付部１２２、および端末受信部２５は、通常、無線または有線の通信手段で実現されるが、放送を受信する手段で実現されても良い。
【００９５】
処理部１３、現在時期情報取得部１３１、履修判断部１３２、過去問情報分類部１３３、講義映像決定部１３４、画面構成部１３５、および端末処理部２３は、通常、ＭＰＵやメモリ等から実現され得る。処理部１３等の処理手順は、通常、ソフトウェアで実現され、当該ソフトウェアはＲＯＭ等の記録媒体に記録されている。但し、ハードウェア（専用回路）で実現しても良い。
【００９６】
出力部１４、画面出力部１４１、講義映像関連情報出力部１４２、および端末送信部２４は、通常、無線または有線の通信手段で実現されるが、放送手段で実現されても良い。
【００９７】
端末出力部２６は、ディスプレイやスピーカー等の出力デバイスを含むと考えても含まないと考えても良い。端末出力部２６は、出力デバイスのドライバーソフトまたは、出力デバイスのドライバーソフトと出力デバイス等で実現され得る。
【００９８】
次に、過去問情報処理システムの動作について説明する。まず、過去問情報処理装置１の動作について、図３のフローチャートを用いて説明する。
【００９９】
（ステップＳ３０１）生徒属性値群受付部１２１は、ユーザ学年識別子、ユーザ志望校識別子等を有する生徒属性値群を端末装置２から受信したか否かを判断する。受信した場合はステップＳ３０２に行き、受信しない場合はステップＳ３０３に行く。なお、生徒属性値群受付部１２１は、通常、ユーザ識別子も生徒属性値群と対に受信する。
【０１００】
（ステップＳ３０２）処理部１３は、ステップＳ３０１で受信された生徒属性値群を、共に受信されたユーザ識別子に対応付けて、生徒情報格納部１１５に蓄積する。ステップＳ３０１に戻る。
【０１０１】
（ステップＳ３０３）正誤情報受付部１２２は、正誤情報を端末装置２から受信したか否かを判断する。受信した場合はステップＳ３０４に行き、受信しない場合はステップＳ３０５に行く。なお、正誤情報受付部１２２は、通常、ユーザ識別子と、正誤情報と過去問情報識別子との組を１組以上とを、端末装置２から受信する。
【０１０２】
（ステップＳ３０４）処理部１３は、ステップＳ３０１で受信された正誤情報を、共に受信されたユーザ識別子に対応付けて、生徒情報格納部１１５に蓄積する。なお、処理部１３は、通常、ユーザ識別子に対応付けて、正誤情報と過去問情報識別子との組、１組以上を生徒情報格納部１１５に蓄積する。ステップＳ３０１に戻る。
【０１０３】
（ステップＳ３０５）受付部１２は、端末装置２から、問題選択画面の画面出力指示を受信したか否かを判断する。画面出力指示を受信した場合はステップＳ３０６に行き、画面出力指示を受信しない場合はステップＳ３１０に行く。なお、問題選択画面の画面出力指示は、例えば、試験識別子を有する。また、画面出力指示は科目識別子を有しても良いし、試験識別子が科目識別子を有しても良い。
【０１０４】
（ステップＳ３０６）処理部１３は、問題選択画面の画面出力指示に対応する１以上の過去問情報を過去問情報格納部１１１から選択する。なお、例えば、処理部１３は、問題選択画面の画面出力指示が有する試験識別子および科目識別子に対応する１以上の過去問情報を過去問情報格納部１１１から選択する。
【０１０５】
（ステップＳ３０７）過去問情報分類部１３３は、ステップＳ３０６で選択した１以上の過去問情報を分類する。かかる分類処理について、図４のフローチャートを用いて説明する。
【０１０６】
（ステップＳ３０８）画面構成部１３５は、ステップＳ３０７における分類結果を用いて、問題選択画面を構成する。かかる画面構成処理について、図８のフローチャートを用いて説明する。
【０１０７】
（ステップＳ３０９）画面出力部１４１は、ステップＳ３０８で構成された問題選択画面を、問題選択画面の画面出力指示を送信してきた端末装置２に送信する。ステップＳ３０１に戻る。
【０１０８】
（ステップＳ３１０）受付部１２は、端末装置２から、講義映像選択画面の画面出力指示を受信したか否かを判断する。画面出力指示を受信した場合はステップＳ３１１に行き、画面出力指示を受信しない場合はステップＳ３１４に行く。なお、講義映像選択画面の画面出力指示は、例えば、試験識別子、科目識別子を有する。
【０１０９】
（ステップＳ３１１）講義映像決定部１３４は、１以上の講義映像を決定する。かかる講義映像決定処理について、図９のフローチャートを用いて説明する。
【０１１０】
（ステップＳ３１２）処理部１３は、ステップＳ３１１で決定された１以上の講義映像に対応する１以上の講義映像関連情報を講義映像格納部１１４から取得する。
【０１１１】
（ステップＳ３１３）講義映像関連情報出力部１４２は、ステップＳ３１２で取得された１以上の講義映像関連情報を、講義映像選択画面の画面出力指示を送信してきた端末装置２に送信する。ステップＳ３０１に戻る。
【０１１２】
（ステップＳ３１４）受付部１２は、端末装置２から、コンテンツの選択指示を受信したか否かを判断する。コンテンツの選択指示を受信した場合はステップＳ３１５に行き、コンテンツの選択指示を受信しない場合はステップＳ３０１に戻る。なお、コンテンツとは、通常、過去問情報、または講義映像である。
【０１１３】
（ステップＳ３１５）処理部１３は、コンテンツの選択指示に対応するコンテンツを、格納部１１から取得する。
【０１１４】
（ステップＳ３１６）出力部１４は、ステップＳ３１５で取得されたコンテンツを、コンテンツの選択指示を送信してきた端末装置２に送信する。ステップＳ３０１に戻る。
【０１１５】
なお、図３のフローチャートにおいて、電源オフや処理終了の割り込みにより処理は終了する。
【０１１６】
次に、ステップＳ３０７の分類処理について、図４のフローチャートを用いて説明する。
【０１１７】
（ステップＳ４０１）過去問情報分類部１３３は、ユーザ識別子に対応する生徒属性値群を生徒情報格納部１１５から取得する。
【０１１８】
（ステップＳ４０２）現在時期情報取得部１３１は、現在時期情報を取得する。現在時期情報取得部１３１は、例えば、現在の日付を取得する。そして、現在時期情報取得部１３１は、現在の日付と対になる現在時期情報を格納部１１から取得する。
【０１１９】
（ステップＳ４０３）過去問情報分類部１３３は、ユーザ識別子に対応する正誤情報と当該正誤情報と対になる過去問属性値群との組を１組以上、取得する。なお、ユーザ識別子に対応する正誤情報が入力されていない場合、正誤情報と過去問属性値群との組は、取得できない。
【０１２０】
（ステップＳ４０４）過去問情報分類部１３３は、カウンタｉに１を代入する。
【０１２１】
（ステップＳ４０５）過去問情報分類部１３３は、ステップＳ３０６で選択された過去問情報の中で、ｉ番目の過去問情報が存在するか否かを判断する。ｉ番目の過去問情報が存在する場合はステップＳ４０６に行き、ｉ番目の過去問情報が存在しない場合は上位処理にリターンする。
【０１２２】
（ステップＳ４０６）過去問情報分類部１３３は、ｉ番目の過去問情報に対応する過去問属性値群を、過去問情報格納部１１１から取得する。
【０１２３】
（ステップＳ４０７）過去問情報分類部１３３は、ｉ番目の過去問情報のクラスを決定する。かかるクラス決定処理について、図５のフローチャートを用いて説明する。なお、クラスとは、ここでは分類である。
【０１２４】
（ステップＳ４０８）過去問情報分類部１３３は、ｉ番目の過去問情報に、クラスを識別するクラス識別子を付与する。なお、クラス識別子の付与とは、ｉ番目の過去問情報にクラス識別子を記録することでも良いし、ｉ番目の過去問情報にクラス識別子をリンク付けること等でも良い。
【０１２５】
（ステップＳ４０９）過去問情報分類部１３３は、カウンタｉを１、インクリメントする。ステップＳ４０５に戻る。
【０１２６】
次に、ステップＳ４０７のクラス決定処理の例について、図５、図６のフローチャートを用いて説明する。
【０１２７】
（ステップＳ５０１）履修判断部１３２は、カレントの過去問情報が履修済みか否かを判断する。かかる履修判断処理について、図７のフローチャートを用いて説明する。なお、カレントの過去問情報とは、着目している過去問情報であり、図４のフローチャートのｉ番目の過去問情報である。
【０１２８】
（ステップＳ５０２）過去問情報分類部１３３は、カレントの過去問情報に対応する正誤情報であり、ユーザ識別子に対応する正誤情報が存在するか否かを判断する。正誤情報が存在する場合はステップＳ５０３に行き、正誤情報が存在しない場合はステップＳ５１０に行く。
【０１２９】
（ステップＳ５０３）過去問情報分類部１３３は、生徒属性値群が有するユーザ志望校識別子と対になる志望校難易度識別子を志望校情報格納部１１２から取得する。また、過去問情報分類部１３３は、カレントの過去問情報に対応する難易度識別子を過去問情報格納部１１１から取得する。そして、過去問情報分類部１３３は、志望校難易度識別子と問題の難易度識別子とを用いて、カレントの過去問情報が、取り組むべき問題であるか否かを判断する。取り組むべき問題であると判断した場合はステップＳ５０４に行き、取り組む必要のない問題であると判断した場合はステップＳ５０７に行く。なお、過去問情報分類部１３３は、例えば、「志望校難易度識別子＞＝問題の難易度識別子」である場合、過去問情報を取り組むべき問題であると判断し、「志望校難易度識別子＜問題の難易度識別子」である場合、過去問情報を取り組むべき問題ではないと判断する。
【０１３０】
（ステップＳ５０４）過去問情報分類部１３３は、カレントの過去問情報に対応する正誤情報が「正」（正解）であるか否かを判断する。正誤情報が「正」である場合はステップＳ５０５に行き、正誤情報が「誤」である場合はステップＳ５０６に行く。
【０１３１】
（ステップＳ５０５）過去問情報分類部１３３は、ステップＳ５０１における履修判断結果、取り組むべき問題であるとの情報、正誤情報「正」、問題の難易度識別子に応じたクラス識別子を取得する。上位処理にリターンする。
【０１３２】
（ステップＳ５０６）過去問情報分類部１３３は、ステップＳ５０１における履修判断結果、取り組むべき問題であるとの情報、正誤情報「誤」、問題の難易度識別子に応じたクラス識別子を取得する。上位処理にリターンする。
【０１３３】
（ステップＳ５０７）過去問情報分類部１３３は、カレントの過去問情報に対応する正誤情報が「正」（正解）であるか否かを判断する。正誤情報が「正」である場合はステップＳ５０８に行き、正誤情報が「誤」である場合はステップＳ５０９に行く。
【０１３４】
（ステップＳ５０８）過去問情報分類部１３３は、ステップＳ５０１における履修判断結果、取り組む必要のない問題であるとの情報、正誤情報「正」、問題の難易度識別子に応じたクラス識別子を取得する。上位処理にリターンする。
【０１３５】
（ステップＳ５０９）過去問情報分類部１３３は、ステップＳ５０１における履修判断結果、取り組む必要のない問題であるとの情報、正誤情報「誤」、問題の難易度識別子に応じたクラス識別子を取得する。上位処理にリターンする。
【０１３６】
（ステップＳ５１０）過去問情報分類部１３３は、生徒属性値群が有するユーザ志望校識別子と対になる志望校難易度識別子を志望校情報格納部１１２から取得する。また、過去問情報分類部１３３は、カレントの過去問情報に対応する難易度識別子を過去問情報格納部１１１から取得する。そして、過去問情報分類部１３３は、志望校難易度識別子と問題の難易度識別子とを用いて、カレントの過去問情報が、取り組むべき問題であるか否かを判断する。取り組むべき問題であると判断した場合はステップＳ５１１に行き、取り組む必要のない問題であると判断した場合はステップＳ５１２に行く。
【０１３７】
（ステップＳ５１１）過去問情報分類部１３３は、ステップＳ５０１における履修判断結果、取り組むべき問題であるとの情報、問題の難易度識別子に応じたクラス識別子を取得する。上位処理にリターンする。
【０１３８】
（ステップＳ５１２）過去問情報分類部１３３は、ステップＳ５０１における履修判断結果、取り組む必要のない問題であるとの情報、問題の難易度識別子に応じたクラス識別子を取得する。上位処理にリターンする。
【０１３９】
なお、図５、図６のフローチャートにおいて、過去問情報分類部１３３は、ユーザの学習スタイル情報が「予習型」か「復習型」かによって、次履修フラグ「ＯＮ」に対応する過去問情報に対して付与するクラス識別子を変更することは好適である。例えば、過去問情報分類部１３３は、ユーザが「予習型」である場合、次履修フラグ「ＯＮ」に対応する過去問情報に対して、「ユーザが学習すべきクラス」のクラス識別子を付与しても良い。また、例えば、過去問情報分類部１３３は、ユーザが「復習型」である場合、次履修フラグ「ＯＮ」に対応する過去問情報に対して、「ユーザが学習すべきでないクラス」のクラス識別子を付与しても良い。
【０１４０】
次に、ステップＳ５０１の履修判断処理について、図７のフローチャートを用いて説明する。
【０１４１】
（ステップＳ７０１）履修判断部１３２は、ユーザ識別子に対応する教科書識別子を生徒情報格納部１１５から取得する。なお、ユーザ識別子に対応する通学学校識別子を生徒情報格納部１１５から取得し、当該通学学校識別子と対になる教科書識別子を格納部１１から取得しても良い。
【０１４２】
（ステップＳ７０２）履修判断部１３２は、カレントの過去問情報の分野識別子を過去問情報格納部１１１から取得する。
【０１４３】
（ステップＳ７０３）履修判断部１３２は、教科書識別子と分野識別子とに対応する履修時期情報を、教科書情報格納部１１３から取得する。
【０１４４】
（ステップＳ７０４）履修判断部１３２は、ユーザ識別子に対応する学年識別子を取得する。
【０１４５】
（ステップＳ７０５）履修判断部１３２は、学年識別子と現在時期情報とを、履修時期情報に適用し、カレントの過去問情報の分野識別子で識別される分野が履修済みか否かを判断する。
【０１４６】
（ステップＳ７０６）履修判断部１３２は、ステップＳ７０５での判断結果が「未履修」であるとの判断結果の場合はステップＳ７０７に行き、「履修済み」との判断結果の場合は上位処理にリターンする。
【０１４７】
（ステップＳ７０７）履修判断部１３２は、学年識別子と現在時期情報とを、履修時期情報に適用し、カレントの過去問情報の分野識別子で識別される分野が、次（通常、次の学期、または近々）に履修するか否かを判断する。次に履修するとの判断の場合はステップＳ７０８に行き「、次には履修しないとの判断の場合はステップＳ７０９に行く。
【０１４８】
（ステップＳ７０８）履修判断部１３２は、次履修フラグに「ＯＮ」を代入する。上位処理にリターンする。
【０１４９】
（ステップＳ７０９）履修判断部１３２は、次履修フラグに「ＯＦＦ」を代入する。上位処理にリターンする。
【０１５０】
次に、ステップＳ３０８の画面構成処理について、図８のフローチャートを用いて説明する。
【０１５１】
（ステップＳ８０１）画面構成部１３５は、画面を構成する１以上の各過去問情報の過去問属性値群を取得する。また、画面構成部１３５は、過去問属性値群に加えて、１以上の各過去問情報に対応する１以上の講義映像へのリンク情報を取得することは好適である。なお、過去問情報によって、リンク情報が存在しない場合もある。
【０１５２】
（ステップＳ８０２）画面構成部１３５は、１以上の各過去問情報に対応するクラス識別子を用いて、１以上の過去問属性値群を有するレコードをソートする。なお、このレコードのソートは、１以上の過去問情報のソートでも良い。画面構成部１３５は、通常、クラス識別子の優先順位に応じて、１以上の過去問属性値群を有するレコードをソートする。クラス識別子の優先順位とは、学習すべき順に、クラス識別子に付与された情報である。なお、このレコードのデータ構造は問わない。
【０１５３】
（ステップＳ８０３）画面構成部１３５は、１以上の過去問属性値群を有する各レコードに対応するクラス識別子を付加する。
【０１５４】
（ステップＳ８０４）画面構成部１３５は、ユーザ志望校識別子に対応する志望校情報を取得する。
【０１５５】
（ステップＳ８０５）画面構成部１３５は、１以上の過去問属性値群を有するレコード、志望校情報を有する画面を構成する。上位処理にリターンする。
【０１５６】
次に、ステップＳ３１１の講義映像決定処理について、図９のフローチャートを用いて説明する。図９のフローチャートにおいて、図３、図８のフローチャートと同一のステップについて、その説明を省略する。
【０１５７】
（ステップＳ９０１）講義映像決定部１３４は、ユーザ識別子に対応する勉強時間情報を生徒情報格納部１１５から取得する。
【０１５８】
（ステップＳ９０２）講義映像決定部１３４は、ステップＳ９０１で取得した勉強時間情報と、過去問情報分類部１３３における分類結果を用いて、分類結果が示すクラス識別子の優先順位が高い順から選択し、勉強時間情報が示す時間内で出力可能であり、志望校の合格のために必要な問題に対応する１以上の講義映像を決定する。
【０１５９】
次に、端末装置２の動作について説明する。端末装置２の端末受付部２２は、ユーザから指示や情報等を受け付ける。端末処理部２３は、端末受付部２２が受け付けた指示や情報等に、端末格納部２１に格納されているユーザ識別子を付与して、送信するデータ構造にする。次に、端末送信部２４は、端末処理部２３が構成した指示や情報等を過去問情報処理装置１に送信する。  
【０１６０】
端末送信部２４の指示や情報等の送信に応じて、端末受信部２５は、過去問情報処理装置１から各種の情報を受信する。そして、端末出力部２６は、端末受信部２５が受信した情報を出力する。
【０１６１】
以下、本実施の形態における過去問情報処理システムの具体的な動作について説明する。過去問情報処理システムの概念図は図１である。
【０１６２】
今、過去問情報格納部１１１は、図１０に示す過去問情報管理表を保持している。過去問情報管理表は、「ＩＤ」「試験識別子」「大問識別子」「小問識別子」「過去問情報」「過去問属性値群」を有するレコードを１以上格納している。「ＩＤ」はレコードを識別する情報である。「試験識別子」は試験を識別する情報である。「大問識別子」は問題中の大問の番号等、大問を識別する情報である。「小問識別子」は大問の中の小問を識別する情報である。「過去問情報」は問題を示す情報である。「過去問属性値群」は、「科目識別子」「分野識別子」「タイトル情報」「学年識別子」「解答形式」「配点情報」「難易度識別子」「正答率（％）」を有する。「タイトル情報」は、通常、問題に対して人手で付与したタイトルである。「解答形式」は解答の形式を示す情報である。「配点情報」は当該問題に対する配点を示す情報である。「難易度識別子」は、ここでは「１」〜「３」の３段階で、「１」が最も容易であることを示し、「２」は真ん中の難易度であることを示し、「３」は最も難しいことを示す。「正答率（％）」は多数の生徒の解答の正解率である。なお、「分野識別子」と「タイトル情報」とを合わせて、分野識別子としても良い。また、「大問識別子」「小問識別子」は、「過去問属性値群」を構成する過去問属性値群である、としても良い。
【０１６３】
また、志望校情報格納部１１２は、図１１に示す志望校情報管理表を保持している。志望校情報管理表は、「ＩＤ」「志望校識別子」「志望校難易度識別子」「正答必須ゾーン」「合否分岐ゾーン」を有するレコードを１以上格納している。「ＩＤ」はレコードを識別する情報である。「志望校識別子」は、志望校の対象となる学校を識別する情報である。ここでは、志望校の対象となる学校は高校であるが、中学校、大学等でも良い。「志望校難易度識別子」は、例えば、「１」〜「３」の３段階であり、「３」が最難関であり、順に、難易度が低下し、「１」が最も難易度が低い、とする。「正答必須ゾーン」は、教科ごとに、合格のために最低限、取得しなければならない点数である。「合否分岐ゾーン」は、教科ごとに、合格の分岐の点数である。
【０１６４】
また、教科書情報格納部１１３は、図１２に示す教科書情報管理表を保持している。教科書情報管理表は、「ＩＤ」「教科書識別子」「分野情報」を有するレコードを１以上格納している。「ＩＤ」はレコードを識別する情報である。「教科書識別子」は教科書を識別する情報である。「分野情報」は、教科書における、一の分野を履修する時期を示す情報であり、「分野識別子」「履修時期情報」を有する。ここでの「分野識別子」は、過去問情報管理表の「分野識別子」と「タイトル情報」とを合わせた情報である。「履修時期情報」は、ここでは、学年識別子と学期識別子とを有する情報である。学年識別子は「中１」「中２」または「中３」であり、学期識別子は「１学期」「２学期」または「３学期」である。
【０１６５】
また、講義映像格納部１１４は、図１３に示す講義映像管理表を保持している。講義映像管理表は、「ＩＤ」「過去問ＩＤ」「講義映像識別子」を有するレコードを１以上格納している。「ＩＤ」はレコードを識別する情報である。「過去問ＩＤ」は、講義映像が対応する過去問情報のＩＤである。「過去問ＩＤ」は、図１０の過去問情報管理表の「ＩＤ」に対応する。「講義映像識別子」は、「基礎」「応用」「関連」の３種類の講義映像の識別子を含み得る。「基礎」は対応する過去問を正解するために学習すべき基礎的な講義映像の識別子である。「応用」は対応する過去問を正解するために学習すべき応用的な講義映像の識別子である。「関連」は対応する過去問を正解するための関連する講義映像の識別子である。また、「講義映像識別子」は、「基礎」「応用」「関連」に代えて、「導入」「基礎」「応用」の３種類の講義映像の識別子を含み得ても良い。「導入」は、対応する過去問を正解するために学習すべき導入となる講義映像である。なお、データ「Ｖ０１１」「Ｖ０２１」等は、講義映像を識別する講義映像識別子である。
【０１６６】
また、講義映像格納部１１４は、図１４に示す講義映像情報管理表を保持している。講義映像情報管理表は、「ＩＤ」「講義映像識別子」「サムネイル」「講義映像」を有するレコードを１以上格納している。「ＩＤ」はレコードを識別する情報である。「サムネイル」は講義映像のサムネイル画像である。講義映像は、講義映像自体であり、通常、ストリームである。講義映像は、講義映像格納部１１４に格納されている。
【０１６７】
また、生徒情報格納部１１５は、図１５に示す生徒情報管理表を保持している。生徒情報管理表は、「ＩＤ」「ユーザ識別子」「生徒属性値群」を有するレコードを１以上格納している。「ＩＤ」はレコードを識別する情報である。「生徒属性値群」は、ここでは、「ユーザ学年識別子」「ユーザ志望校識別子」「教科書識別子」「勉強時間」「得手情報」「学習スタイル」「正誤情報識別子」「通学学校識別子」を有する。「教科書識別子」は、教科ごとの教科書識別子である。「勉強時間」は、勉強時間情報であり、ここでは時間数である。「得手情報」は、教科ごとの得手情報である。「正誤情報識別子」は、正誤情報を識別する情報であり、空「−」の場合は、正誤情報を入力していないことを示す。「正誤情報識別子」で識別される１以上の正誤情報は、生徒情報格納部１１５に格納されている、とする。そして、１以上の各正誤情報は、過去問情報識別子と対応付いており、「○」「△」「×」のいいずれかを取り得る、とする。
【０１６８】
また、学校情報格納部１１６は、図１６に示す学校情報管理表を保持している。学校情報管理表は、学校で使用している教科書の識別子を管理する表であり、「ＩＤ」「通学学校識別子」「教科書識別子」を有するレコードを１以上格納している。「ＩＤ」はレコードを識別する情報である。「教科書識別子」は、教科ごとの教科書識別子である。
【０１６９】
さらに、格納部１１は、図１７に示すクラス決定制御表を保持している。クラス決定制御表は、「ＩＤ」「クラス」「履修判断結果」「志望校適応度」「正誤情報」「優先順位」を有する。「ＩＤ」はレコードを識別する情報である。「クラス」は、クラス識別子であり、ここでは文字列であるが、分類を示す数値等でも良い。「履修判断結果」は、対象となる過去問が履修している分野の問題であるか否かの判断結果を示す情報である。履修判断結果「１」は履修済みであり、「０」は未履修である。「志望校適応度」は問題の志望校に対する適応度合いである。志望校適応度「２」は、志望校に合格するために正解しなければならないレベルの問題であることを示す。志望校適応度「１」は、志望校に合格するために正解が必要であり、正誤が合否の分かれ目となるレベルの問題であることを示す。志望校適応度「０」は、志望校に合格するために必ずしも正解する必要がない問題であることを示す。なお、「志望校適応度」は、志望校難易度識別子と問題の難易度識別子とを比較して取得される情報である。ここでは、「志望校難易度識別子が示す難易度＞問題の難易度識別子が示す難易度」である場合は志望校適応度「２」である。また、「志望校難易度識別子が示す難易度＝問題の難易度識別子が示す難易度」である場合は志望校適応度「１」である。「志望校難易度識別子が示す難易度＜問題の難易度識別子が示す難易度」である場合は志望校適応度「０」である。また、図１７の「正誤情報」は、「○」「△」「×」「−」の１以上の値を取り得る。「○」は正解「正」を示す。「△」は部分点があったことを示す。「×」は解答したが不正解「誤」であったことを示す。「−」は解答がないことを示す。さらに、「優先順位」は、クラスの優先順位を示す情報である。画面構成部１３５は、例えば、クラス識別子に基づいて、後述するレコードをソートする。ここでは、優先順位の数値が小さいほど、優先順位が高いことを示す。
【０１７０】
なお、過去問情報分類部１３３は、図１７のクラス決定制御表を用いて、過去問情報のクラスを決定する。つまり、ここでは、過去問情報分類部１３３は、履修判断結果、志望校適応度、正誤情報を用いて、過去問情報のクラスを決定する。
【０１７１】
かかる状況において、以下の６つの具体例を説明する。具体例１は、正誤情報を登録している中学２年生のユーザ「ｕ００１」が、学習する入試過去問を選択する問題選択画面を出力する画面出力指示を入力する場合である。具体例２は、正誤情報を登録していない中学２年生のユーザ「ｕ００２」が、問題選択画面を出力する画面出力指示を入力する場合である。具体例３は、正誤情報を登録している中学３年生のユーザ「ｕ００３」が、問題選択画面を出力する画面出力指示を入力する場合である。具体例４は、正誤情報を登録していない中学３年生のユーザ「ｕ００４」が、問題選択画面を出力する画面出力指示を入力する場合である。具体例５は、生徒が講義映像選択画面を出力する画面出力指示を入力する場合である。
【０１７２】
（具体例１）
ユーザ「ｕ００１」は、端末装置２に、問題選択画面を出力する画面出力指示を入力した、とする。なお、かかる画面出力指示は、試験識別子「北海道公立高校入試」、科目識別子「数学」を有する、とする。
【０１７３】
すると、端末受付部２２は、当該画面出力指示を受け付ける。次に、端末処理部２３は、ユーザ識別子「ｕ００１」を取得し、送信する画面出力指示を構成する。なお、かかる指示は、ユーザ識別子「ｕ００１」を有する。端末送信部２４は、ユーザ識別子「ｕ００１」、試験識別子「北海道公立高校入試」、科目識別子「数学」を有する問題選択画面の出力指示を過去問情報処理装置１に送信する。
【０１７４】
次に、過去問情報処理装置１の受付部１２は、問題選択画面の出力指示を端末装置２から受信する。
【０１７５】
次に、処理部１３は、問題選択画面の画面出力指示が有する試験識別子「北海道公立高校入試」、科目識別子「数学」に対応する１８の過去問情報を過去問情報管理表(図１０)から検索し、「１」から「１８」のＩＤを取得する。
【０１７６】
次に、過去問情報分類部１３３は、決定した１８の過去問情報を、以下のように分類する。つまり、まず、過去問情報分類部１３３は、ユーザ識別子「ｕ００１」に対応する生徒属性値群を生徒情報管理表（図１５）から取得する。
【０１７７】
次に、現在時期情報取得部１３１は、現在の日付「１２月２６日」を取得し、当該日付に対応する現在時期情報「冬休み」を、現在時期情報管理表を参照して、取得した、とする。なお、現在時期情報管理表は、日付の期間と対応付けを管理する表であり、格納部１１に管理されている、とする。現在時期情報管理表は、例えば、「１学期：４月８日〜７月２０日」「夏休み：７月２１日〜８月３１日」「２学期：９月１日〜１２月２０日」「冬休み：１２月２１日〜１月７日」「３学期：１月８日〜３月２０日」「春休み：３月２１日〜４月７日」のレコードを管理する。
【０１７８】
次に、過去問情報分類部１３３は、ユーザ識別子「ｕ００１」に対応する正誤情報識別子「ａ１」を生徒情報管理表（図１５）から取得する。そして、過去問情報分類部１３３は、正誤情報識別子「ａ１」と対になる正誤情報と対になる過去問属性値群との組を１組以上、取得する。なお、正誤情報識別子「ａ１」と対になる正誤情報等は図示しない。正誤情報識別子「ａ１」と対になる正誤情報は、図１０の過去問情報管理表の各「ＩＤ」と対応付いている正誤情報（「正」または「誤」）である。
【０１７９】
次に、過去問情報分類部１３３は、１番目の過去問情報に対応する過去問属性値群を、過去問情報管理表から取得する。そして、過去問情報分類部１３３は、１番目の過去問情報のクラスを以下のように決定する。
【０１８０】
まず、履修判断部１３２は、１番目の過去問情報が履修済みか否かを以下のように判断する。つまり、履修判断部１３２は、ユーザ識別子「ｕ００１」に対応する教科書識別子「Ｔ１」を生徒情報管理表から取得する。
【０１８１】
次に、履修判断部１３２は、１番目の過去問情報の分野識別子「四則計算」「正負の数の加法」を過去問情報管理表から取得する。
【０１８２】
次に、履修判断部１３２は、教科書識別子「Ｔ１」と分野識別子「四則計算」「正負の数の加法」とに対応する履修時期情報「中１・１学期」を、教科書情報管理表（図１２）から取得する。
【０１８３】
次に、履修判断部１３２は、ユーザ識別子「ｕ００１」に対応する学年識別子「中２」を取得する。
【０１８４】
次に、履修判断部１３２は、学年識別子「中２」と現在時期情報「冬休み」とを、履修時期情報「中１・１学期」に適用し、１番目の過去問情報の分野識別子で識別される分野が履修済みである、と判断する。なお、ここで、仮に、履修時期情報「中２・３学期」であれば、その過去問情報の分野識別子で識別される分野は、「未履修」となる。
【０１８５】
次に、過去問情報分類部１３３は、１番目の過去問情報に対応する正誤情報であり、ユーザ識別子「ｕ００１」に対応する正誤情報が存在する、と判断する。
【０１８６】
次に、過去問情報分類部１３３は、生徒属性値群が有するユーザ志望校識別子「Ａ高校」と対になる志望校難易度識別子「２」を志望校情報管理表（図１１）から取得する。また、過去問情報分類部１３３は、１番目の過去問情報に対応する難易度識別子「１」を過去問情報管理表から取得する。そして、過去問情報分類部１３３は、志望校難易度識別子「２」と問題の難易度識別子「１」とを用いて、１番目の過去問情報の志望校適応度「２」を取得する。
【０１８７】
次に、過去問情報分類部１３３は、１番目の過去問情報に対応する正誤情報「○」を取得する。
【０１８８】
次に、過去問情報分類部１３３は、図１７のクラス決定制御表を参照して、履修判断結果「履修済み（値は「１」）」、志望校適応度「２」、正誤情報「○」に応じたクラス識別子「できて当たり前」を取得する。
【０１８９】
次に、１番目の過去問情報と同様に、過去問情報分類部１３３は、２番目の過去問情報のクラスを以下のように決定する。
【０１９０】
まず、過去問情報分類部１３３は、２番目の過去問情報に対応する過去問属性値群を、過去問情報管理表から取得する。
【０１９１】
次に、履修判断部１３２は、２番目の過去問情報が履修済み「１」である、と判断する。
【０１９２】
次に、過去問情報分類部１３３は、２番目の過去問情報に対応する正誤情報であり、ユーザ識別子「ｕ００１」に対応する正誤情報が存在する、と判断する。
【０１９３】
次に、過去問情報分類部１３３は、生徒属性値群が有するユーザ志望校識別子「Ａ高校」と対になる志望校難易度識別子「２」を志望校情報管理表（図１１）から取得する。また、過去問情報分類部１３３は、２番目の過去問情報に対応する難易度識別子「１」を過去問情報管理表から取得する。そして、過去問情報分類部１３３は、志望校難易度識別子「２」と問題の難易度識別子「１」とを用いて、２番目の過去問情報の志望校適応度「２」を取得する。
【０１９４】
次に、過去問情報分類部１３３は、２番目の過去問情報に対応する正誤情報「○」を取得する。
【０１９５】
次に、過去問情報分類部１３３は、図１７のクラス決定制御表を参照して、履修判断結果「１」、志望校適応度「２」、正誤情報「○」に応じたクラス識別子「できて当たり前」を取得する。
【０１９６】
同様に、過去問情報分類部１３３は、３番目の過去問情報のクラスのクラス識別子を「できて当たり前」と取得する。
【０１９７】
次に、過去問情報分類部１３３は、４番目の過去問情報のクラスを以下のように決定する。
【０１９８】
まず、過去問情報分類部１３３は、４番目の過去問情報に対応する過去問属性値群を、過去問情報管理表から取得する。
【０１９９】
次に、履修判断部１３２は、４番目の過去問情報が未履修「０」である、と判断する。
【０２００】
次に、過去問情報分類部１３３は、生徒属性値群が有するユーザ志望校識別子「Ａ高校」と対になる志望校難易度識別子「２」を志望校情報管理表（図１１）から取得する。また、過去問情報分類部１３３は、４番目の過去問情報に対応する難易度識別子「１」を過去問情報管理表から取得する。そして、過去問情報分類部１３３は、志望校難易度識別子「２」と問題の難易度識別子「１」とを用いて、２番目の過去問情報の志望校適応度「２」を取得する。
【０２０１】
次に、過去問情報分類部１３３は、４番目の過去問情報に対応する正誤情報「×」を取得する。
【０２０２】
次に、過去問情報分類部１３３は、図１７のクラス決定制御表を参照して、履修判断結果「０」、志望校適応度「２」、正誤情報「×」に応じたクラス識別子「習ってから挑戦」を取得する。
【０２０３】
過去問情報分類部１３３は、図１７のクラス決定制御表を参照して、５番目以降の過去問情報に対しても、以上の分類処理を行う。
【０２０４】
次に、画面構成部１３５は、画面を構成する１８の各過去問情報の過去問属性値群、１以上の各過去問情報に対応する１以上の講義映像へのリンク情報を取得し、過去問情報ごとにレコードを構成する。ここで取得する過去問属性値群は、「分野識別子」「タイトル情報」「学年識別子」「解答形式」「配点情報」「正答率（％）」である、とする。
【０２０５】
また、画面構成部１３５は、レコード内に、「大問識別子」「小問識別子」を含めるものとする。
【０２０６】
次に、画面構成部１３５は、１８の各過去問情報に対応するクラス識別子を用いて、優先度の高い過去問情報の情報が上に配置されるように、１８の過去問属性値群を有するレコードをソートする。
【０２０７】
次に、画面構成部１３５は、１８の各過去問属性値群を有する各レコードに対応するクラス識別子を付加する。
【０２０８】
また、画面構成部１３５は、１８の各過去問情報の過去問属性値群が有する難易度識別子が視覚的に区別可能なように、表示する各レコードを構成する。なお、ここでは、画面構成部１３５は、難易度識別子によって、レコードの背景色を変える、とする。
【０２０９】
次に、画面構成部１３５は、ユーザ志望校識別子に対応する志望校情報「正答必須ゾーン：４２点」「合否分岐ゾーン：８点」を取得する。
【０２１０】
次に、画面構成部１３５は、１以上の過去問属性値群を有するレコード、志望校情報を有する画面を構成する。
【０２１１】
次に、画面出力部１４１は、構成された問題選択画面を、問題選択画面の画面出力指示を送信してきた端末装置２に送信する。
【０２１２】
次に、端末装置２の端末受信部２５は、問題選択画面を受信する。そして、端末出力部２６は、受信された問題選択画面を出力する。ここで、問題選択画面の出力例は、図１８である。
【０２１３】
図１８において、「最優先」「取りに行け」「できて当たり前」「あと一歩」「レベルアップに挑戦」「時間があれば挑戦」「習ってから挑戦」という優先順位の順番にクラスがソートされ、かつ各過去問情報の難易度識別子に対応する背景色でレコードが色づけされていることが分かる。
【０２１４】
（具体例２）
ユーザ「ｕ００２」は、端末装置２に、問題選択画面を出力する画面出力指示を入力した、とする。なお、かかる画面出力指示は、試験識別子「北海道公立高校入試」、科目識別子「数学」を有する、とする。
【０２１５】
すると、端末受付部２２は、当該画面出力指示を受け付ける。次に、端末処理部２３は、ユーザ識別子「ｕ００２」を取得し、送信する画面出力指示を構成する。なお、かかる指示は、ユーザ識別子「ｕ００２」を有する。端末送信部２４は、ユーザ識別子「ｕ００２」を有する問題選択画面の出力指示を過去問情報処理装置１に送信する。
【０２１６】
次に、過去問情報処理装置１の受付部１２は、問題選択画面の出力指示を端末装置２から受信する。
【０２１７】
次に、処理部１３は、問題選択画面の画面出力指示が有する試験識別子「北海道公立高校入試」、科目識別子「数学」に対応する１８の過去問情報を過去問情報管理表(図１０)から検索し、「１」から「１８」のＩＤを取得する。
【０２１８】
次に、過去問情報分類部１３３は、具体例１と同様に、図１７のクラス決定制御表を用いて、１８の各過去問情報を分類し、過去問情報ごとに、クラス識別子を付与する。かかる処理は、具体例１で説明したので、再度の説明は省略する。なお、ユーザ「ｕ００２」に対応する正誤情報は存在しない点は、具体例１と異なる。
【０２１９】
次に、画面構成部１３５は、具体例１と同様に問題選択画面を構成する。そして、画面出力部１４１は、構成された問題選択画面を、問題選択画面の画面出力指示を送信してきた端末装置２に送信する。
【０２２０】
次に、端末装置２の端末受信部２５は、問題選択画面を受信する。そして、端末出力部２６は、受信された問題選択画面を出力する。ここで、問題選択画面の出力例は、図１９である。
【０２２１】
図１９において、「最優先」「取りに行け」「レベルアップに挑戦」「習ってから挑戦」という優先順位の順番にクラスがソートされ、かつ各過去問情報の難易度識別子に対応する背景色でレコードが色づけされていることが分かる。
【０２２２】
（具体例３）
ユーザ「ｕ００３」は、端末装置２に、問題選択画面を出力する画面出力指示を入力した、とする。なお、かかる画面出力指示は、試験識別子「北海道公立高校入試」、科目識別子「数学」を有する、とする。
【０２２３】
すると、端末受付部２２は、当該画面出力指示を受け付ける。次に、端末処理部２３は、ユーザ識別子「ｕ００３」を取得し、送信する画面出力指示を構成する。なお、かかる指示は、ユーザ識別子「ｕ００３」を有する。端末送信部２４は、ユーザ識別子「ｕ００３」を有する問題選択画面の出力指示を過去問情報処理装置１に送信する。
【０２２４】
次に、過去問情報処理装置１の受付部１２は、問題選択画面の出力指示を端末装置２から受信する。
【０２２５】
次に、処理部１３は、問題選択画面の画面出力指示が有する試験識別子「北海道公立高校入試」、科目識別子「数学」に対応する１８の過去問情報を過去問情報管理表(図１０)から検索し、「１」から「１８」のＩＤを取得する。
【０２２６】
次に、過去問情報分類部１３３は、具体例１と同様に、図１７のクラス決定制御表を用いて、１８の各過去問情報を分類し、過去問情報ごとに、クラス識別子を付与する。かかる処理は、具体例１で説明したので、再度の説明は省略する。なお、ユーザ「ｕ００３」の学年識別子が「中３」である点は、具体例１と異なる。つまり、履修の状況は、具体例１と異なる。
【０２２７】
次に、画面構成部１３５は、具体例１と同様に問題選択画面を構成する。そして、画面出力部１４１は、構成された問題選択画面を、問題選択画面の画面出力指示を送信してきた端末装置２に送信する。
【０２２８】
次に、端末装置２の端末受信部２５は、問題選択画面を受信する。そして、端末出力部２６は、受信された問題選択画面を出力する。ここで、問題選択画面の出力例は、図２０である。
【０２２９】
図２０において、「最優先」「取りに行け」「いい感じ」「できて当たり前」「あと一歩」「更に確実に」「レベルアップに挑戦」という優先順位の順番にクラスがソートされ、かつ各過去問情報の難易度識別子に対応する背景色でレコードが色づけされていることが分かる。
【０２３０】
（具体例４）
ユーザ「ｕ００４」は、端末装置２に、問題選択画面を出力する画面出力指示を入力した、とする。なお、かかる画面出力指示は、試験識別子「北海道公立高校入試」、科目識別子「数学」を有する、とする。
【０２３１】
すると、端末受付部２２は、当該画面出力指示を受け付ける。次に、端末処理部２３は、ユーザ識別子「ｕ００４」を取得し、送信する画面出力指示を構成する。なお、かかる指示は、ユーザ識別子「ｕ００４」を有する。端末送信部２４は、ユーザ識別子「ｕ００４」を有する問題選択画面の出力指示を過去問情報処理装置１に送信する。
【０２３２】
次に、過去問情報処理装置１の受付部１２は、問題選択画面の出力指示を端末装置２から受信する。
【０２３３】
次に、処理部１３は、問題選択画面の画面出力指示が有する試験識別子「北海道公立高校入試」、科目識別子「数学」に対応する１８の過去問情報を過去問情報管理表(図１０)から検索し、「１」から「１８」のＩＤを取得する。
【０２３４】
次に、過去問情報分類部１３３は、具体例１と同様に、図１７のクラス決定制御表を用いて、１８の各過去問情報を分類し、過去問情報ごとに、クラス識別子を付与する。かかる処理は、具体例１で説明したので、再度の説明は省略する。なお、ユーザ「ｕ００４」の学年識別子が「中３」である点、正誤情報が存在しない点は、具体例１と異なる。
【０２３５】
次に、画面構成部１３５は、具体例１と同様に問題選択画面を構成する。そして、画面出力部１４１は、構成された問題選択画面を、問題選択画面の画面出力指示を送信してきた端末装置２に送信する。
【０２３６】
次に、端末装置２の端末受信部２５は、問題選択画面を受信する。そして、端末出力部２６は、受信された問題選択画面を出力する。ここで、問題選択画面の出力例は、図２１である。
【０２３７】
図２１において、「最優先」「取りに行け」「レベルアップに挑戦」という優先順位の順番にクラスがソートされ、かつ各過去問情報の難易度識別子に対応する背景色でレコードが色づけされていることが分かる。
【０２３８】
（具体例５）
具体例５は、生徒が講義映像選択画面を出力する画面出力指示を入力する場合である。まず、例えば、ユーザ「ｕ００１」が問題選択画面を出力する画面出力指示を入力した後、具体例１等の処理により、端末装置２に図２２に示す問題選択画面が出力された、とする。
【０２３９】
かかる状況において、ユーザ「ｕ００１」が講義映像選択画面を出力する画面出力指示を入力した、とする。
【０２４０】
すると、端末受付部２２は、講義映像選択画面の画面出力指示を受け付ける。次に、端末処理部２３は、ユーザ識別子「ｕ００１」を取得し、送信する講義映像選択画面の画面出力指示を構成する。なお、かかる指示は、ユーザ識別子「ｕ００１」を有する。端末送信部２４は、ユーザ識別子「ｕ００１」を有する講義映像選択画面の画面出力指示を過去問情報処理装置１に送信する。
【０２４１】
次に、過去問情報処理装置１の受付部１２は、講義映像選択画面の出力指示を端末装置２から受信する。
【０２４２】
次に、講義映像決定部１３４は、以下のように１以上の講義映像を決定する。まず、講義映像決定部１３４は、ユーザ識別子「ｕ００１」に対応する勉強時間情報「５」を生徒情報管理表（図１５）から取得する。
【０２４３】
次に、講義映像決定部１３４は、勉強時間情報「５」と、過去問情報分類部１３３における分類結果を用いて、分類結果が示すクラス識別子の優先順位が高い順から選択し、勉強時間情報が示す時間内で出力可能であり、志望校の合格のために必要な問題に対応する５つの講義映像を決定する。なお、ここでは、各講義映像の出力時間は、１時間である、とする。
【０２４４】
つまり、講義映像決定部１３４は、図２３（ａ）の２３０１の破線の枠内の多数の講義映像のリンク情報の中から、学習の優先順位の高い方から、５つの講義映像を決定する。この５つの講義映像のリンク情報は、図２３（ａ）の２３０２の実線の枠内である。
【０２４５】
そして、次に、処理部１３は、決定された５以上の講義映像に対応する５つの講義映像関連情報を講義映管理表（図１４）から取得する。ここで、取得される講義映像関連情報は、講義映像のサムネイルである。また、処理部１３は、各講義映像に対応する講義映像識別子を図１３から取得する、とする。
【０２４６】
そして、処理部１３は、５つの講義映像のサムネイルを含む講義映像選択画面を構成する。
【０２４７】
次に、講義映像関連情報出力部１４２は、取得された５つの講義映像関連情報を含む講義映像選択画面を、講義映像選択画面の画面出力指示を送信してきた端末装置２に送信する。
【０２４８】
次に、端末装置２の端末受信部２５は、講義映像選択画面を受信する。そして、端末出力部２６は、受信された講義映像選択画面を出力する。ここで、講義映像選択画面の出力例は、図２３（ｂ）である。なお、図２３（ｂ）の２３０３は、本日の勉強時間内で学習可能な、選択された５つの講義映像である。また、２３０４は、最も優先的に受講すべき講義映像のサムネイル画面である。
【０２４９】
以上、本実施の形態によれば、過去の入試問題を用いて、志望校別、個人別の効果的な学習を進めることができる。具体的には、例えば、北海道の公立高校の過去問は５年間で８６０問ある。そして、北海道の一の公立高校を志望する中学生は、通常、どの問題から解いて行けば良いか分からない。本過去問情報処理装置１によれば、志望校、個人の状況（学年、使用教科書、時期など）に応じて、優先順位を付けて、過去問を提示できる。
【０２５０】
また、本実施の形態における図１８〜図２３の画面は、志望校に合格するための効率の良い勉強を実施するためのポータル画面である。そして、過去問情報処理装置１は、入試過去問を用いた新しい学習モデルを実現するものである。
【０２５１】
また、本実施の形態によれば、過去の入試問題を用いて、現在の時期（例えば、夏休み、冬休み等）に適合した、志望校別、個人別の効果的な学習を進めることができる。
【０２５２】
また、本実施の形態によれば、過去の入試問題を用いて、生徒の入試過去問題の正誤結果に適合した、志望校別、個人別の効果的な学習を進めることができる。
【０２５３】
また、本実施の形態によれば、過去の入試問題および講義映像を用いて、志望校別、個人別の効果的な学習を進めることができる。
【０２５４】
また、本実施の形態によれば、過去の入試問題およびレベル別の講義映像を用いて、志望校別、個人別の効果的な学習を進めることができる。
【０２５５】
また、本実施の形態によれば、過去の入試問題を用いて、生徒の日々の勉強時間に適合した、志望校別、個人別の効果的な学習を進めることができる。
【０２５６】
また、本実施の形態によれば、過去の入試問題を用いて、生徒の学習スタイルに適合した、志望校別、個人別の効果的な学習を進めることができる。
【０２５７】
さらに、本実施の形態によれば、過去の入試問題を用いて、生徒の教科に対する得意・不得意の意識に適合した、志望校別、個人別の効果的な学習を進めることができる。
【０２５８】
なお、本実施の形態の具体例において、例えば、図１８の画面から、最上位のレコードをユーザが指示した場合、当該レコードに対応する過去問情報の選択指示が端末装置２から過去問情報処理装置１に送信される。なお、この選択指示は、試験識別子「北海道公立高校入試」、科目識別子「数学」、大問「１」、小問「４」という情報である、問題を識別する情報を有する。
【０２５９】
そして、過去問情報処理装置１の受付部１２は、端末装置２から、コンテンツ（過去問情報）の選択指示を受信する。次に、処理部１３は、コンテンツの選択指示に対応する過去問情報を格納部１１から取得する。次に、出力部１４は、取得された過去問情報を端末装置２に送信する。
【０２６０】
次に、端末装置２の端末受信部２５は、過去問情報処理装置１から過去問情報を受信する。そして、端末出力部２６は、端末受信部２５が受信した過去問情報を出力する。なお、かかる過去問情報は、試験識別子「北海道公立高校入試」、科目識別子「数学」、大問「１」、小問「４」で識別される問題の情報である。
【０２６１】
また、例えば、図１８の画面から、最上位のレコードをユーザが指示した場合、図２３（ｂ）の２３０４を指示した場合、当該指示に対応する講義映像の選択指示が端末装置２から過去問情報処理装置１に送信される。
【０２６２】
そして、過去問情報処理装置１の受付部１２は、端末装置２から、コンテンツ（講義映像）の選択指示を受信する。次に、処理部１３は、コンテンツの選択指示に対応する講義映像を格納部１１から取得する。次に、出力部１４は、取得された講義映像を端末装置２に送信する。
【０２６３】
次に、端末装置２の端末受信部２５は、過去問情報処理装置１から講義映像を受信する。そして、端末出力部２６は、端末受信部２５が受信した講義映像を出力する。
【０２６４】
また、本実施の形態において、一のユーザが志望校のランクを上げると、例えば、「後回し」でよかった問題が、「最優先」に変わったりすることがあり得るは言うまでもない。
【０２６５】
さらに、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態における過去問情報処理装置１を実現するソフトウェアは、以下のようなプログラムである。つまり、このプログラムは、コンピュータアクセス可能な記録媒体は、過去の入試で出題された入試過去問の情報である過去問情報であり、問題のタイトルを示すタイトル情報、履修する学年を示す学年識別子、問題の難易度を示す難易度識別子を有する過去問属性値群に対応する２以上の過去問情報を格納し得る過去問情報格納部と、志望校を示す志望校識別子と、当該志望校の難易度を示す志望校難易度識別子とを有する２以上の志望校情報を格納し得る志望校情報格納部とを具備し、コンピュータを、ユーザの現在の学年を示すユーザ学年識別子、および志望校を示すユーザ志望校識別子を有する生徒属性値群を受け付ける生徒属性値群受付部と、前記生徒属性値群が有するユーザ学年識別子に対応する学年識別子、および前記生徒属性値群が有するユーザ志望校識別子と対になる志望校難易度識別子に対応する難易度識別子を用いて、前記過去問情報格納部の２以上の過去問情報を、２以上に分類する過去問情報分類部と、前記２以上の過去問情報のタイトル情報を有する画面であり、前記過去問情報分類部が前記２以上の過去問情報に対して行った分類が視覚的に認識可能である態様の画面を構成する画面構成部と、前記画面構成部が構成した画面を出力する画面出力部として機能させるためのプログラムである。
【０２６６】
また、上記プログラムにおいて、前記過去問情報分類部は、前記生徒属性値群が有するユーザ学年識別子に対応する学年識別子、および前記生徒属性値群が有するユーザ志望校識別子と対になる志望校難易度識別子に対応する難易度識別子を用いて、取り組む問題の優先順位が分かる態様で、前記過去問情報格納部の２以上の過去問情報を、２以上に分類するものとして、コンピュータを機能させるプログラムであることは好適である。
【０２６７】
また、上記プログラムにおいて、前記過去問属性値群は、問題の分野を示す分野識別子も有し、前記生徒属性値群は、使用している教科書を識別する教科書識別子または通学している学校を示す通学学校識別子をも有し、記録媒体は、教科書識別子と、分野識別子と履修時期に関する履修時期情報とを有する２以上の分野情報とを有する１以上の教科書情報を格納し得る教科書情報格納部をさらに具備し、コンピュータを、現在の時期である現在時期情報を取得する現在時期情報取得部と、前記過去問情報格納部の１以上の各過去問情報と対になる分野識別子と対になる履修時期情報を取得し、当該履修時期情報と前記現在時期情報とを用いて、前記１以上の各過去問情報を履修済みの分野の問題の情報でるか否かを判断する履修判断部としてさらに機能させ、前記画面構成部は、前記履修判断部の判断結果をも視覚的に認識可能である態様の画面を構成するものとして、コンピュータを機能させるプログラムであることは好適である。
【０２６８】
また、上記プログラムにおいて、コンピュータを、１以上の過去問情報に対する解答の正誤を示す１以上の正誤情報を受け付ける正誤情報を受け付ける正誤情報受付部としてさらに機能させ、前記過去問情報分類部は、前記正誤情報受付部が受け付けた１以上の正誤情報をも用いて、前記過去問情報格納部の２以上の過去問情報を２以上に分類するものとして、コンピュータを機能させるプログラムであることは好適である。
【０２６９】
また、上記プログラムにおいて、記録媒体は、前記過去問情報格納部の１以上の各過去問情報に対応付けて、当該過去問情報に対応する入試過去問を正解するために必要な学習を行う映像である１以上の講義映像を格納し得る講義映像格納部をさらに具備し、前記画面構成部は、前記２以上の過去問情報のうちの、１以上の各過去問情報に対応付けて、講義映像へのリンクを示すリンク情報を有する画面を構成するものとして、コンピュータを機能させるプログラムであることは好適である。
【０２７０】
また、上記プログラムにおいて、前記講義映像格納部は、一の過去問情報に対応付けて、異なるレベルを識別するレベル識別子に対応する２以上の講義映像を格納し得、前記画面構成部は、講義映像に対応するレベル識別子を用いて、講義映像へのリンクを示すリンク情報を有する画面を構成するものとして、コンピュータを機能させるプログラムであることは好適である。
【０２７１】
また、上記プログラムにおいて、前記生徒属性値群は、生徒が１日に勉強できる時間である勉強時間情報を含み、記録媒体は、前記過去問情報格納部の１以上の各過去問情報に対応付けて、当該過去問情報に対応する入試過去問を正解するために必要な学習を行う映像である１以上の講義映像を格納し得る講義映像格納部をさらに具備し、コンピュータを、前記過去問情報分類部における分類結果、および前記勉強時間情報を用いて、当該勉強時間情報が示す時間内で出力可能であり、志望校の合格のために必要な問題に対応する１以上の講義映像を決定する講義映像決定部と、前記講義映像決定部が決定した１以上の講義映像に関する情報である講義映像関連情報を出力する講義映像関連情報出力部としてさらに機能させるプログラムであることは好適である。
【０２７２】
また、上記プログラムにおいて、前記生徒属性値群は、予習型または復習型である学習スタイル情報を含み、前記過去問情報分類部は、前記過去問情報格納部の２以上の過去問情報を、前記学習スタイル情報に応じて異なる分類を行うものとして、コンピュータを機能させるプログラムであることは好適である。
【０２７３】
また、上記プログラムにおいて、前記生徒属性値群は、当該教科の得手または不得手を示す得手情報を含み、前記過去問情報分類部は、前記過去問情報格納部の２以上の過去問情報を、前記得手情報に応じて異なる分類を行うものとして、コンピュータを機能させるプログラムであることは好適である。
【０２７４】
また、図２４は、本明細書で述べたプログラムを実行して、上述した種々の実施の形態の過去問情報処理装置等を実現するコンピュータの外観を示す。上述の実施の形態は、コンピュータハードウェア及びその上で実行されるコンピュータプログラムで実現され得る。図２４は、このコンピュータシステム３００の概観図であり、図２５は、システム３００のブロック図である。
【０２７５】
図２４において、コンピュータシステム３００は、ＣＤ−ＲＯＭドライブを含むコンピュータ３０１と、キーボード３０２と、マウス３０３と、モニタ３０４とを含む。
【０２７６】
図２５において、コンピュータ３０１は、ＣＤ−ＲＯＭドライブ３０１２に加えて、ＭＰＵ３０１３と、ＭＰＵ３０１３、ＣＤ−ＲＯＭドライブ３０１２に接続されたバス３０１４と、ブートアッププログラム等のプログラムを記憶するためのＲＯＭ３０１５と、ＭＰＵ３０１３に接続され、アプリケーションプログラムの命令を一時的に記憶するとともに一時記憶空間を提供するためのＲＡＭ３０１６と、アプリケーションプログラム、システムプログラム、及びデータを記憶するためのハードディスク３０１７とを含む。ここでは、図示しないが、コンピュータ３０１は、さらに、ＬＡＮへの接続を提供するネットワークカードを含んでも良い。
【０２７７】
コンピュータシステム３００に、上述した実施の形態の過去問情報処理装置等の機能を実行させるプログラムは、ＣＤ−ＲＯＭ３１０１に記憶されて、ＣＤ−ＲＯＭドライブ３０１２に挿入され、さらにハードディスク３０１７に転送されても良い。これに代えて、プログラムは、図示しないネットワークを介してコンピュータ３０１に送信され、ハードディスク３０１７に記憶されても良い。プログラムは実行の際にＲＡＭ３０１６にロードされる。プログラムは、ＣＤ−ＲＯＭ３１０１またはネットワークから直接、ロードされても良い。
【０２７８】
プログラムは、コンピュータ３０１に、上述した実施の形態の過去問情報処理装置等の機能を実行させるオペレーティングシステム（ＯＳ）、またはサードパーティープログラム等は、必ずしも含まなくても良い。プログラムは、制御された態様で適切な機能（モジュール）を呼び出し、所望の結果が得られるようにする命令の部分のみを含んでいれば良い。コンピュータシステム３００がどのように動作するかは周知であり、詳細な説明は省略する。
【０２７９】
なお、上記プログラムにおいて、情報を送信するステップや、情報を受信するステップなどでは、ハードウェアによって行われる処理、例えば、送信するステップにおけるモデムやインターフェースカードなどで行われる処理（ハードウェアでしか行われない処理）は含まれない。
【０２８０】
また、上記プログラムを実行するコンピュータは、単数であってもよく、複数であってもよい。すなわち、集中処理を行ってもよく、あるいは分散処理を行ってもよい。
【０２８１】
また、上記各実施の形態において、一の装置に存在する２以上の通信手段は、物理的に一の媒体で実現されても良いことは言うまでもない。
【０２８２】
また、上記各実施の形態において、各処理（各機能）は、単一の装置（システム）によって集中処理されることによって実現されてもよく、あるいは、複数の装置によって分散処理されることによって実現されてもよい。
【０２８３】
本発明は、以上の実施の形態に限定されることなく、種々の変更が可能であり、それらも本発明の範囲内に包含されるものであることは言うまでもない。
【産業上の利用可能性】
【０２８４】
以上のように、本発明にかかる過去問情報処理装置は、過去の入試問題を用いて、志望校別、個人別の効果的な学習を進めることができるという効果を有し、教育サービスを実現するサーバ装置等として有用である。
【符号の説明】
【０２８５】
１  過去問情報処理装置
２  端末装置
１１  格納部
１２  受付部
１３  処理部
１４  出力部
２１  端末格納部
２２  端末受付部
２３  端末処理部
２４  端末送信部
２５  端末受信部
２６  端末出力部
１１１  過去問情報格納部
１１２  志望校情報格納部
１１３  教科書情報格納部
１１４  講義映像格納部
１１５  生徒情報格納部
１１６  学校情報格納部
１２１  生徒属性値群受付部
１２２  正誤情報受付部
１３１  現在時期情報取得部
１３２  履修判断部
１３３  過去問情報分類部
１３４  講義映像決定部
１３５  画面構成部
１４１  画面出力部
１４２  講義映像関連情報出力部
【図２】
2017032921.tif 000003
【図３】
2017032921.tif 000004
【図４】
2017032921.tif 000005
【図５】
2017032921.tif 000006
【図６】
2017032921.tif 000007
【図７】
2017032921.tif 000008
【図８】
2017032921.tif 000009
【図９】
2017032921.tif 000010
【図１０】
2017032921.tif 000011
【図１１】
2017032921.tif 000012
【図１２】
2017032921.tif 000013
【図１３】
2017032921.tif 000014
【図１５】
2017032921.tif 000015
【図１６】
2017032921.tif 000016
【図１７】
2017032921.tif 000017
【図２４】
2017032921.tif 000018
【図２５】
2017032921.tif 000019
【図１】
2017032921.tif 000020
【図１４】
2017032921.tif 000021
【図１８】
2017032921.tif 000022
【図１９】
2017032921.tif 000023
【図２０】
2017032921.tif 000024
【図２１】
2017032921.tif 000025
【図２２】
2017032921.tif 000026
【図２３】
2017032921.tif 000027